(57)【要約】【課題】非処方薬を販売するにあたり、医薬品の購入希望者の費用的なメリットを提供しながら、支払補助者の過剰な負担の増加を回避することができる医薬品販売システムを提供する。【解決手段】医薬品販売システムは、医薬品の購入希望者を識別する情報を取得し、購入希望者への販売対象の医薬品を示す情報を受け付け、購入希望者を識別する情報に応じて医薬品の購入金額の一部又は全部を補助する支払補助者を特定し、支払補助者に応じた医薬品の販売条件を認識し、購入希望者への販売対象の医薬品が支払補助者の販売条件を満たす場合に、当該医薬品の購入金額の一部又は全部を前記支払補助者に請求するための請求情報を作成する。【選択図】図１Ａ
2020071595.tif 000002
【特許請求の範囲】
【請求項１】
医薬品の購入希望者を識別する情報を取得する希望者情報取得部と、
前記購入希望者への販売対象の医薬品を示す情報を受け付ける医薬品情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備えることを特徴とする医薬品販売システム。
【請求項２】
請求項１に記載の医薬品販売システムにおいて、
前記購入希望者の第１所定期間における医薬品の過去の購入金額を取得する過去購入金額取得部を備え、
前記条件認識部は、前記購入希望者の前記第１所定期間における医薬品の購入金額の上限である購入上限額を前記販売条件として認識するように構成され、
前記請求情報作成部は、前記購入希望者の前記第１所定期間における医薬品の過去の購入金額と当該購入希望者の今回の購入金額との合計が、前記購入上限額以下である場合に、前記請求情報を作成するように構成されていることを特徴とする医薬品販売システム。
【請求項３】
請求項１又は２に記載の医薬品販売システムにおいて、
前記購入希望者の第２所定期間における医薬品の過去の購入量を取得する過去購入量取得部を備え、
前記条件認識部は、前記購入希望者の前記第２所定期間における当該購入希望者への販売対象の医薬品の購入量の上限である購入上限量を前記販売条件として認識するように構成され、
前記請求情報作成部は、前記購入希望者の前記第２所定期間における、当該購入希望者への販売対象の医薬品と同一の医薬品の過去の購入量と当該購入希望者の当該医薬品の今回の購入量との合計が、前記購入上限量以下である場合に、前記請求情報を作成するように構成されていることを特徴とする医薬品販売システム。
【請求項４】
請求項１〜３のいずれかに記載の医薬品販売システムにおいて、
前記支払補助者が購入金額の一部又は全部を補助する対象としている１又は複数の医薬品からなる医薬品グループを取得する医薬品グループ取得部を備え、
前記条件認識部は、前記購入希望者への販売対象の医薬品が前記医薬品グループに含まれていることを前記販売条件として認識するように構成され、
前記請求情報作成部は、前記購入希望者への販売対象の医薬品が、前記医薬品グループに含まれている場合に、前記請求情報を作成するように構成されていることを特徴とする医薬品販売システム。
【請求項５】
請求項１〜４のいずれかに記載の医薬品販売システムにおいて、
購入希望者端末と、
前記購入希望者と専門家との間での問診が終了したことを示す問診終了情報を受信する問診受信部と、
前記購入希望者への販売対象の医薬品に関する前記専門家から前記購入希望者への説明が終了したことを示す説明終了情報を受信する説明受信部と、
前記購入希望者が前記説明の内容を理解したことを示す理解情報を受信する理解受信部と、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信する購入可能情報送信部と、
前記購入希望者端末から前記購入可能情報を受け付ける購入可能情報受付部とを備え、
前記条件認識部は、前記購入可能情報受付部が前記購入可能情報を受け付けることを前記販売条件として認識するように構成され、
前記請求情報作成部は、前記購入可能情報受付部により前記購入可能情報が受け付けられた場合に、前記請求情報を作成するように構成されていることを特徴とする医薬品販売システム。
【請求項６】
請求項１〜５のいずれかに記載の医薬品販売システムにおいて、
購入希望者端末と専門家端末との間での通信を制御する通信制御部を備え、
前記医薬品情報受付部は、前記通信の内容に基づいて専門家が選択した医薬品を示す情報を前記専門家端末から受け付けるように構成され、
前記条件認識部は、前記専門家端末から医薬品を示す情報を受け付けることを前記販売条件として認識するように構成され、
前記請求情報作成部は、前記医薬品情報受付部により医薬品を示す情報が前記専門家端末から受け付けられた場合に、当該専門家端末から受け付けた医薬品を示す情報に示される医薬品の購入金額の一部又は全部を前記支払補助者に請求するための請求情報を作成するように構成されていることを特徴とする医薬品販売システム。
【請求項７】
請求項１〜６のいずれかに記載の医薬品販売システムにおいて、
前記希望者情報取得部は、前記購入希望者を識別する情報の画像を取得するように構成され、
前記補助者特定部は、前記画像から前記購入希望者を識別する情報に応じた支払補助者を特定するように構成されていることを特徴とする医薬品販売システム。
【請求項８】
請求項７に記載の医薬品販売システムにおいて、
前記補助者特定部は、前記画像中に前記支払補助者を特定する情報が含まれている場合には、当該画像に基づいて、当該画像中のどの部分に前記支払補助者を特定する情報が表示されているかを認識し、当該認識された当該画像中の部分に表示されている情報から、前記購入希望者を識別する情報に応じた支払補助者を特定するように構成されていることを特徴とする医薬品販売システム。
【請求項９】
コンピューターに、
医薬品の購入希望者を識別する情報を取得するステップと、
前記購入希望者への販売対象の医薬品を示す情報を受け付けるステップと、
前記購入希望者を識別する情報に応じて、医薬品の購入金額の一部又は全部を補助する支払補助者を特定するステップと、
前記支払補助者に応じた医薬品の販売条件を認識するステップと、
前記購入希望者への販売対象の医薬品が前記支払補助者の前記販売条件を満たす場合に、当該医薬品の購入金額の一部又は全部を前記支払補助者に請求するための請求情報を作成するステップとを実行させることを特徴とする医薬品販売プログラム。
【請求項１０】
コンピューターが実行する医薬品販売方法であって、
医薬品の購入希望者を識別する情報を取得する工程と、
前記購入希望者への販売対象の医薬品を示す情報を受け付ける工程と、
前記購入希望者を識別する情報に応じて、医薬品の購入金額の一部又は全部を補助する支払補助者を特定する工程と、
前記支払補助者に応じた医薬品の販売条件を認識する工程と、
前記購入希望者への販売対象の医薬品が前記支払補助者の前記販売条件を満たす場合に、当該医薬品の購入金額の一部又は全部を前記支払補助者に請求するための請求情報を作成する工程とを含むことを特徴とする医薬品販売方法。
【発明の詳細な説明】
【技術分野】
【０００１】
本発明は、医薬品販売システム、医薬品購販売プログラム及び医薬品販売方法に関する。
【背景技術】
【０００２】
従来、薬剤師がネットワークを介して購入者と会話をして医薬品を販売することができる医薬品販売システムが知られている（例えば、特許文献１参照）。
【０００３】
特許文献１のシステムによれば、薬剤師と購入者とが離れた場所にいてもテレビ会議システムで会話し、医薬品を販売することができる。
【先行技術文献】
【特許文献】
【０００４】
【特許文献１】特開２０１３−１０９４１４号公報
【発明の概要】
【発明が解決しようとする課題】
【０００５】
ところで、薬局等で販売されている医薬品（非処方薬）の中には、病院で処方される処方薬と同じ薬効を有する医薬品も含まれている。
【０００６】
そのような医薬品を、購入希望者が薬局等で購入した場合、病院で診療を受けて当該医薬品の処方を受けて購入する場合に比して、診察料がかからない分トータルでの医療費の金額は下がることとなる。
【０００７】
しなしながら、購入希望者が病院で診療を受けて当該医薬品の処方を受けて購入する場合は、購入希望者が加入している健康保険組合等の支払補助者が医療費の一部を支払ってくれるため、診察料が上乗せされたとしても、購入希望者が支払う金額は、当該医薬品を薬局等で非処方薬として購入した場合に当該購入希望者が支払う金額に比して低額となる。
【０００８】
このため、特許文献１のようなシステムを医薬品の販売システムとして利用しても、非処方薬を購入する際に購入希望者が支払う額の高さが購入希望者の心理的障害となり、購入者は当該システムを利用して薬局等で医薬品を購入する方法よりも、病院で診療を受けて当該医薬品の処方を受けて購入する方法を選択してしまう。結果として、診察料が医薬品の購入金額に上乗せされる分トータルでの医療費が上がってしまう。
【０００９】
一方で、購入希望者に薬局等での医薬品の購入を促すために、薬局等で販売されるあらゆる医薬品の購入にかかる費用を例えば購入希望者が加入する健康保険組合などの支払補助者がどんな場合でも支払うこととすると、当該支払補助者の経済的負担の過剰な増加を招きかねない。
【００１０】
以上の事情に鑑みて、本発明は、非処方薬を販売するにあたり、医薬品の購入希望者の経済的なメリットを提供しながら、支払補助者の過剰な負担の増加を回避することができる医薬品販売システムを提供することを目的とする。
【課題を解決するための手段】
【００１１】
本発明の医薬品販売システムは、
医薬品の購入希望者を識別する情報を取得する希望者情報取得部と、
前記購入希望者への販売対象の医薬品を示す情報を受け付ける医薬品情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備えることを特徴とする。
【００１２】
本発明の医薬品販売システムによれば、希望者情報取得部により医薬品の購入希望者を識別する情報が取得され、医薬品情報受付部により購入希望者への販売対象の医薬品を指定する情報が受け付けられ、補助者特定部により当該情報に応じて医薬品の購入金額の一部又は全部を補助する支払補助者が特定される。
【００１３】
また、条件認識部により、支払補助者に応じた医薬品の販売条件が認識され、購入希望者への販売対象の医薬品が支払補助者の販売条件を満たす場合に、請求情報作成部により、当該購入希望者への販売対象の医薬品の購入金額の一部又は全部を支払補助者に請求するための請求情報が作成される。
【００１４】
支払い補助者に応じた販売条件を満たす場合に、当該購入希望者への販売対象の医薬品の購入金額の一部又は全部を前記支払補助者に請求するための請求情報を作成することができるので、支払補助者の経済的負担の過剰な増加を回避することができる。
【００１５】
このように、本発明の医薬品販売システムによれば、非処方薬を販売するにあたり、医薬品の購入希望者の経済的なメリットを提供しながら、支払補助者の過剰な負担の増加を回避することができる。
【００１６】
本発明の医薬品販売システムにおいて、
前記購入希望者の第１所定期間における医薬品の過去の購入金額を取得する過去購入金額取得部を備え、
前記条件認識部は、前記購入希望者の前記第１所定期間における医薬品の購入金額の上限である購入上限額を前記販売条件として認識するように構成され、
前記請求情報作成部は、前記購入希望者の前記第１所定期間における医薬品の過去の購入金額と当該購入希望者の今回の購入金額との合計が、前記購入上限額以下である場合に、前記請求情報を作成するように構成されていることが好ましい。
【００１７】
本発明の医薬品販売システムは、当該購入希望者の前記第１所定期間における、医薬品の過去の購入金額と今回の購入金額との合計が購入上限額以下である場合に、請求情報を作成することができるので、支払補助者の経済的負担の過剰な増加を回避することができる。
【００１８】
このように、本発明の医薬品販売システムによれば、非処方薬を販売するにあたり、医薬品の購入希望者の費用的なメリットを提供しながら、支払補助者の過剰な負担の増加を回避することができる。
【００１９】
本発明の医薬品販売システムにおいて、
前記購入希望者の第２所定期間における医薬品の過去の購入量を取得する過去購入量取得部を備え、
前記条件認識部は、前記購入希望者の前記第２所定期間における当該購入希望者への販売対象の医薬品の購入量の上限である購入上限量を前記販売条件として認識するように構成され、
前記請求情報作成部は、前記購入希望者の前記第２所定期間における、当該購入希望者への販売対象の医薬品と同一の医薬品の過去の購入量と当該購入希望者の当該医薬品の今回の購入量との合計が、前記購入上限量以下である場合に、前記請求情報を作成するように構成されていることが好ましい。
【００２０】
医薬品によっては、所定期間中における服用量に制限が設定されている。購入希望者が制限を超えて医薬品を購入して当該医薬品を服用した場合、かえって購入希望者の健康を害してしまうおそれがある。
【００２１】
本発明の医薬品販売システムは、購入希望者の前記第２所定期間における、当該購入希望者への販売対象の医薬品と同一の医薬品の過去の購入量と今回の購入量との合計が購入上限量以下である場合に、請求情報を作成することができるので、購入希望者が制限を超えて医薬品を購入して服用してしまう可能性を低減しつつ、支払補助者の経済的負担の過剰な増加を回避することができる。
【００２２】
このように、本発明の医薬品販売システムによれば、非処方薬を販売するにあたり、購入希望者が制限を超えて医薬品を購入して服用してしまう可能性を低減しながら、支払補助者の過剰な負担の増加を回避することができる。
【００２３】
本発明の医薬品販売システムにおいて、
前記支払補助者が購入金額の一部又は全部を補助する対象としている１又は複数の医薬品からなる医薬品グループを取得する医薬品グループ取得部を備え、
前記条件認識部は、前記購入希望者への販売対象の医薬品が前記医薬品グループに含まれていることを前記販売条件として認識するように構成され、
前記請求情報作成部は、前記購入希望者への販売対象の医薬品が、前記医薬品グループに含まれている場合に、前記請求情報を作成するように構成されていることが好ましい。
【００２４】
支払補助者によっては、例えば、費用を一部又は全部負担するに値する医薬品の購入を促したい、より実績のある医薬品の購入を促したい、あるいは補助者の経済的な負担を軽減するために安価なジェネリック医薬品の購入を促したいという意向を有することが考えられる。
【００２５】
本発明の医薬品販売システムは、購入希望者が購入を希望する医薬品が、支払補助者が購入金額の一部又は全部を補助する対象としている医薬品グループに含まれている場合に、請求情報を作成することができるので、一定の医薬品の購入を制限又は推奨したいという補助者の意向を反映することができる。
【００２６】
このように、本発明の医薬品販売システムによれば、非処方薬を販売するにあたり、一定の医薬品の購入を制限又は推奨したいという補助者の意向を反映しながら、支払補助者の過剰な負担の増加を回避することができる。
【００２７】
本発明の医薬品販売システムにおいて、
購入希望者端末と、
前記購入希望者と専門家との間での問診が終了したことを示す問診終了情報を受信する問診受信部と、
前記購入希望者への販売対象の医薬品に関する前記専門家から前記購入希望者への説明が終了したことを示す説明終了情報を受信する説明受信部と、
前記購入希望者が前記説明の内容を理解したことを示す理解情報を受信する理解受信部と、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信する購入可能情報送信部と、
前記購入希望者端末から前記購入可能情報を受け付ける購入可能情報受付部とを備え、
前記条件認識部は、前記購入可能情報受付部が前記購入可能情報を受け付けることを前記販売条件として認識するように構成され、
前記請求情報作成部は、前記購入可能情報受付部により前記購入可能情報が受け付けられた場合に、前記請求情報を作成するように構成されていることが好ましい。
【００２８】
医薬品によっては、薬剤師などの専門家による問診と医薬品に関する説明が終了していること、購入希望者が当該説明の内容を理解していることが販売の条件となる場合がある。そのような医薬品を購入するために購入希望者が薬局を訪れた際に、例えば薬剤師が不在であったり、他の購入希望者の対応中であったりした場合に、薬剤師が対応可能となるまで待たなければならない不便を購入希望者に生じさせる。
【００２９】
本発明の医薬品販売システムは、購入希望者と専門家との間での問診が終了したことを示す情報、医薬品に関する専門家から購入希望者への説明が終了したことを示す情報及び、購入希望者が当該説明の内容を理解したことを示す情報が受信されたことを条件として、購入希望者への販売対象の医薬品を購入希望者が購入できることを示す購入可能情報を購入希望者端末に送信する。
【００３０】
これにより、専門家による問診と医薬品に関する説明が終了していること、購入希望者が当該説明の内容を理解していることが販売の条件となる医薬品を購入するために購入希望者が薬局を訪れた際に、改めて薬剤師などの専門家による問診等を受けることなく当該医薬品を受け取るすることが可能となるので、購入希望者の利便性が向上する。
【００３１】
本発明の医薬品販売システムによれば、非処方薬を販売するにあたり、購入希望者の利便性を向上させつつ、支払補助者の過剰な負担の増加を回避することができる。
【００３２】
本発明の医薬品販売システムにおいて、
購入希望者端末と専門家端末との間での通信を制御する通信制御部を備え、
前記医薬品情報受付部は、前記通信の内容に基づいて専門家が選択した医薬品を示す情報を前記専門家端末から受け付けるように構成され、
前記条件認識部は、前記専門家端末から医薬品を示す情報を受け付けることを前記販売条件として認識するように構成され、
前記請求情報作成部は、前記医薬品情報受付部により医薬品を示す情報が前記専門家端末から受け付けられた場合に、当該専門家端末から受け付けた医薬品を示す情報に示される医薬品の購入金額の一部又は全部を前記支払補助者に請求するための請求情報を作成するように構成されていることが好ましい。
【００３３】
購入希望者は、必ずしも医薬品に関する知識が豊富ではないため、自分の病状にあった医薬品がどれであるかを判断できず、医薬品販売システムの利用を躊躇して、病院で診療を受けて当該医薬品の処方を受けて購入する方法を選択してしまうことが考えられる。
【００３４】
本発明の医薬品販売システムは、通信制御部により購入希望者端末と専門家端末との間での通信が制御され、医薬品情報受付部により当該通信の内容に基づいて専門家が選択した医薬品を示す情報が専門家端末から受け付けられる。
【００３５】
本発明の医薬品販売システムは、条件認識部により専門家端末から医薬品を示す情報を受け付けることが販売条件として認識され、当該医薬品を示す情報が専門家端末から受け付けられた場合に、当該専門家端末から受け付けた医薬品を示す情報に示される医薬品の購入金額の一部又は全部を支払補助者に請求するための請求情報が請求情報作成部により作成される。
【００３６】
これにより、購入希望者端末と専門家端末との間での通信が行われた後に、専門家端末から医薬品を示す情報が受け付けられるため、医薬品に関する知識が豊富でなくとも自分に合った医薬品を購入できるという安心感を購入希望者に持たせることができる。
【００３７】
このように、本発明の医薬品販売システムによれば、非処方薬を購入する上での安心感を購入希望者に持たせつつ、支払補助者の過剰な負担の増加を回避することができる。
【００３８】
本発明の医薬品販売システムにおいて、
前記希望者情報取得部は、前記購入希望者を識別する情報の画像を取得するように構成され、
前記補助者特定部は、前記画像から前記購入希望者を識別する情報に応じた支払補助者を特定するように構成されていることが好ましい。
【００３９】
医薬品の購入希望者を識別する情報は、当該購入希望者の医薬品の購入金額の一部又は全部を補助する支払補助者を特定するための重要な情報である。
【００４０】
しかし、例えば、購入希望者を識別する情報を購入希望者本人に入力させた場合、入力の手間が生じるとともに、入力の誤り又はそもそも当該情報を記憶しておらず入力ができないことなどにより支払補助者を特定することができないことが考えられる。
【００４１】
本発明の医薬品販売システムは、購入希望者を識別する情報の画像に基づいて購入希望者を識別する情報に応じた支払補助者を特定するので、購入希望者本人に購入希望者を識別する情報を入力させる手間を生じさせず、また、支払補助者を確実に特定することができる。
【００４２】
このように、本発明の医薬品販売システムによれば、非処方薬を販売するにあたり、購入希望者の手間を軽減するとともに、確実に医薬品の購入希望者の費用的なメリットを提供しながら、支払補助者の過剰な負担の増加を回避することができる。
【００４３】
本発明の医薬品販売システムにおいて、
前記補助者特定部は、前記画像中に前記支払補助者を特定する情報が含まれている場合には、当該画像に基づいて、当該画像中のどの部分に前記支払補助者を特定する情報が表示されているかを認識し、当該認識された当該画像中の部分に表示されている情報から、前記購入希望者を識別する情報に応じた支払補助者を特定するように構成されていることが好ましい。
【００４４】
例えば購入希望者を識別する情報の画像が、保険証などの、当該購入希望者を識別する情報に加えて支払補助者を特定する情報も含まれている画像であれば、当該画像から支払補助者を特定する情報を得ることができるので、より確実に支払補助者を特定することができる。
【００４５】
本発明の医薬品販売システムは、購入希望者を識別する情報の画像に支払補助者を特定する情報が含まれている場合には、当該画像に基づいて、当該画像中のどの部分に支払補助者を特定する情報が表示されているかを認識し、当該認識された当該画像中の部分に表示されている情報から、購入希望者を識別する情報に応じた支払補助者を特定する。そのため、支払補助者をより確実に特定することができる。
【００４６】
このように、本発明の医薬品販売システムによれば、非処方薬を販売するにあたり、より確実に医薬品の購入希望者の費用的なメリットを提供しながら、支払補助者の過剰な負担の増加を回避することができる。
【図面の簡単な説明】
【００４７】
【図１Ａ】本実施形態の医薬品販売システムの全体構成の一例を示す構成図。
【図１Ｂ】本実施形態の医薬品販売システムの全体構成の一例を示す構成図。
【図１Ｃ】本実施形態の医薬品販売システムの全体構成の一例を示す構成図。
【図２Ａ】本実施形態の医薬品販売システムのデータベースの構成の一例を示す図。
【図２Ｂ】本実施形態の医薬品販売システムのデータベースの構成の一例を示す図。
【図２Ｃ】本実施形態の医薬品販売システムのデータベースの構成の一例を示す図。
【図２Ｄ】本実施形態の医薬品販売システムのデータベースの構成の一例を示す図。
【図２Ｅ】本実施形態の医薬品販売システムのデータベースの構成の一例を示す図。
【図２Ｆ】本実施形態の医薬品販売システムのデータベースの構成の一例を示す図。
【図２Ｇ】本実施形態の医薬品販売システムのデータベースの構成の一例を示す図。
【図２Ｈ】本実施形態の医薬品販売システムのデータベースの構成の一例を示す図。
【図２Ｉ】本実施形態の医薬品販売システムのデータベースの構成の一例を示す図。
【図２Ｊ】本実施形態の医薬品販売システムのデータベースの構成の一例を示す図。
【図２Ｋ】本実施形態の医薬品販売システムのデータベースの構成の一例を示す図。
【図３】本実施形態の医薬品販売システムの処理概要の一例を示すフローチャート。
【図４】本実施形態の医薬品販売システムの処理の一例を示すフローチャート。
【図５】本実施形態の医薬品販売システムの処理の一例を示すフローチャート。
【図６Ａ】本実施形態の医薬品販売システムの処理の一例を示すフローチャート。
【図６Ｂ】本実施形態の医薬品販売システムの処理の一例を示すフローチャート。
【図６Ｃ】本実施形態の医薬品販売システムの処理の一例を示すフローチャート。
【図７】本実施形態の医薬品販売システムの処理の一例を示すフローチャート。
【図８】本実施形態の医薬品販売システムの処理の一例を示すフローチャート。
【図９】本実施形態の医薬品販売システムの処理の一例を示すフローチャート。
【図１０Ａ】本実施形態の医薬品販売システムの処理の一例を示すフローチャート。
【図１０Ｂ】本実施形態の医薬品販売システムの処理の一例を示すフローチャート。
【図１１】本実施形態の医薬品販売システムの処理の一例を示すフローチャート。
【図１２】本実施形態の医薬品販売システムの処理の一例を示すフローチャート。
【図１３】本実施形態の医薬品販売システムの処理概要の変更例の一例を示すフローチャート。
【図１４】本実施形態の医薬品販売システムの処理概要の変更例の一例を示すフローチャート。
【図１５Ａ】本実施形態の医薬品販売システムの処理概要の変更例の一例を示すフローチャート。
【図１５Ｂ】本実施形態の医薬品販売システムの処理概要の変更例の一例を示すフローチャート。
【図１５Ｃ】本実施形態の医薬品販売システムの変更例のデータベースの構成の一例を示す図。
【発明を実施するための形態】
【００４８】
まず、図１Ａ〜図１Ｃ、図２Ａ〜図２Ｋを用いて本実施例の医薬品販売支援システムの全体構成について説明する。
【００４９】
本実施例の医薬品販売支援システムは、サーバ１０、購入希望者端末２０、専門家端末３０、販売者装置４０を備えている。
【００５０】
サーバ１０と購入希望者端末２０、専門家端末３０及び販売者装置４０との間、購入希望者端末２０と専門家端末３０及び販売者装置４０との間は、通信ネットワーク５０を介して相互に通信可能に接続されている。
【００５１】
サーバ１０は、サーバ制御部１００、サーバ記憶部１２０、サーバ通信部１４０を有するコンピューターである。
【００５２】
サーバ制御部１００は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバ制御部１００は、一のプロセッサにより構成されてもよく、相互通信可能な複数のプロセッサにより構成されてもよい。サーバ制御部１００は、所定のプログラムを読み込んで実行することにより、希望者情報取得部１０１、医薬品情報受付部１０２、補助者特定部１０３、条件認識部１０４、請求情報作成部１０５、過去購入金額取得部１０６、過去購入量取得部１０７、医薬品グループ取得部１０８、問診受信部１０９、説明受信部１１０、理解受信部１１１、購入可能情報送信部１１２、購入可能情報受付部１１３及び通信制御部１１４として機能する。
【００５３】
希望者情報取得部１０１は、医薬品の購入希望者２を識別する情報を取得する。医薬品情報受付部１０２は、購入希望者への販売対象の医薬品を示す情報を受け付ける。補助者特定部１０３は、購入希望者２を識別する情報に応じて、医薬品の購入金額の一部又は全部を補助する支払補助者１を特定する。条件認識部１０４は、支払補助者１に応じた医薬品の販売条件を認識する。請求情報作成部１０５は、購入希望者２への販売対象の医薬品が支払補助者１の販売条件を満たす場合に、当該医薬品の購入金額の一部又は全部を支払補助者１に請求するための請求情報を作成する。
【００５４】
過去購入金額取得部１０６は、購入希望者２の第１所定期間における医薬品の過去の購入金額を取得する。過去購入量取得部１０７は、購入希望者２の第２所定期間における医薬品の過去の購入量を取得する。医薬品グループ取得部１０８は、支払補助者１が購入金額の一部又は全部を補助する対象としている１又は複数の医薬品からなる医薬品グループを取得する。
【００５５】
問診受信部１０９は、購入希望者２と専門家３との間での問診が終了したことを示す問診終了情報を受信する。説明受信部１１０は、購入希望者２への販売対象の医薬品に関する専門家３から購入希望者２への説明が終了したことを示す説明終了情報を受信する。理解受信部１１１は、購入希望者２が当該説明の内容を理解したことを示す理解情報を受信する。
【００５６】
購入可能情報送信部１１２は、購入希望者２への販売対象の医薬品が所定種別の医薬品である場合に、問診終了情報１２５、説明終了情報１２６及び理解情報１２７が受信されたことを条件として、当該医薬品を購入希望者２が購入できることを示す購入可能情報２１１を購入希望者端末２０に送信する。
【００５７】
なお、所定種別の医薬品とは、例えば薬機法によって規定される医薬品の種別のうち、その販売時に、法令で定める事項を記載した書面等を用いて必要な情報を提供することが義務付けられている要指導医薬品、第１類医薬品である。あるいは所定種別は、医薬品販売システムの提供者が設定した医薬品の種別であってもよい。
【００５８】
購入可能情報受付部１１３は、購入希望者端末２０から購入可能情報２１１を受け付ける。通信制御部１１４は、購入希望者端末２０と専門家端末３０との間での通信を制御する。
【００５９】
サーバ記憶部１２０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、購入希望者ＤＢ（データベース）１２１、購入条件ＤＢ１２２、支払補助者ＤＢ１２３、専門家ＤＢ１２４、販売者ＤＢ１２５、サーバ医薬品ＤＢ１２６、請求ＤＢ１２７、購入可能情報ＤＢ１２８、販売履歴ＤＢ１２９、証明書パターンＤＢ１３０及び、サーバ制御部１００の処理結果を記憶する。
【００６０】
購入希望者ＤＢ１２１は、購入希望者２に関する情報のデータベースであり、例えば図２Ａに示すように、１又は複数の購入希望者２のそれぞれを一意に特定する第１購入希望者ＩＤ、購入希望者氏名、生年月日、性別、所有ポイント、支払補助者関連情報、販売者関連情報の情報を含んでいる。
【００６１】
購入希望者氏名、生年月日及び性別は、それぞれ購入希望者２の氏名、生年月日、性別を表す情報である。
【００６２】
所有ポイントは、本発明の医薬品販売システムを利用して医薬品を購入することにより購入希望者２が得た医薬品販売システムにおけるポイントの数量を表す数値の情報が記憶されている。
【００６３】
支払補助者関連情報は、購入希望者２が加入している健康保険組合等の支払補助者１に関する情報であり、支払補助者１を一意に特定する支払補助者ＩＤ及び、当該支払補助者１において当該購入希望者２を一意に特定する情報である第２購入希望者ＩＤが記憶されている。
【００６４】
販売者関連情報は、購入希望者２が会員等となっている販売者４に関する情報であり、販売者４を特定する販売者ＩＤ及び、当該販売者４において当該購入希望者２を特定する情報である第３購入希望者ＩＤが記憶されている。なお、販売者関連情報は、一つの購入希望者情報に、複数記憶されていてもよい。この場合、販売者ＩＤと第４、第５、第６・・・の購入希望者ＩＤとのセットが、当該購入希望者情報に記憶される。
【００６５】
購入条件ＤＢ１２２は、支払補助者１に応じた医薬品の販売条件の情報のデータベースであり、例えば図２Ｂに示すように、支払補助者１を識別する支払補助者ＩＤ、所定期間、購入上限額、医薬品ＩＤ、購入上限量の情報を含んでいる。
【００６６】
所定期間は、当該条件が購入金額の上限を定めるものである場合は過去購入金額取得部１０６が医薬品の過去の購入金額を取得する期間（第１所定期間）を示す情報であり、当該条件が購入量の上限を定めるものである場合は過去購入金額取得部１０６が医薬品の過去の購入量を取得する期間（第２所定期間）を示す情報である。所定期間は、例えば１か月、１年などである。あるいは例えば、所定期間は、開始年月日及び終了年月日であってもよいし、所定期間を特定できるその他の値であってもよい。
【００６７】
購入上限額は、第１所定期間の医薬品の購入金額の上限を示す情報であり、購入上限量は、第２所定期間の医薬品の購入量の上限を示す情報である。医薬品ＩＤは、医薬品を一意に特定する情報であり、当該購入上限量がどの医薬品に関する購入上限量であるかを示している。
【００６８】
支払補助者ＤＢ１２３は、医薬品の購入金額の一部又は全部を補助する支払補助者１に関する情報のデータベースであり、例えば図２Ｃに示すように、支払補助者ＩＤ、支払補助者名称、請求先、医薬品グループ、補助度合、種別の情報を含んでいる。
【００６９】
支払補助者名称は、支払補助者１の名称を表す情報である。請求先の情報は、購入希望者２への請求情報を請求情報作成部１０５が作成する際に参照する情報であり、例えば請求書の郵送先の住所が記憶されている。あるいは、銀行口座からの引き落としにより決済が行われる場合は、請求書の郵送先の住所に加えて又は替えて引き落とし口座番号及び引き落とし日（例えば毎月１０日、月末日など。）が請求先の情報として記憶されている。
【００７０】
医薬品グループは、当該支払補助者１が購入金額の一部又は全部を補助する対象としている１又は複数の医薬品を示す情報であり、例えば補助の対象としている医薬品の医薬品ＩＤが記憶されている。
【００７１】
補助度合は、当該支払補助者１が医薬品の購入金額のうち、どの程度を補助するかを示す情報であり、例えばパーセント（％）を単位とする数値情報及び、「値引き」、「ポイント付与」などの補助の方法が記憶されている。あるいは例えば、１回の医薬品の購入につき一定額（たとえば１００円、５００円など）を上限として補助することとしている支払補助者１については、当該一定額が補助度合として記憶されている。
【００７２】
種別は、当該支払補助者１の種別を示す情報である。例えば、当該支払補助者１が、購入希望者２が加入している健康保険組合あるいは購入希望者２が勤務している勤務先等である場合は、種別は「一般」である。また、販売者４が特定の医薬品の販売を促進するために購入金額の一部を補助することがある。例えばそのような販売者４が支払補助者１としても本発明の医薬品販売システムに登録されている場合は、当該支払補助者の種別は「販売者」である。さらに、本発明の医薬品販売システムのシステム提供者がシステムの利用を促進するために購入金額の一部を補助することがある。例えばそのようなシステム提供者が支払補助者１として本発明の医薬品販売システムに登録されている場合は、当該支払補助者の種別は「システム提供者」である。
【００７３】
専門家ＤＢ１２４は、専門家端末３０を用いて購入希望者２との通信に対応する専門家３に関する情報のデータベースであり、例えば図２Ｄに示すように、専門家３を一意に特定する専門家ＩＤ、当該専門家３が購入希望者２との通信に用いる専門家端末３０を一意に特定する専門家端末識別情報（例えば、当該専門家端末３０との通信に用いられるＩＰアドレスなど）の情報を含んでいる。
【００７４】
販売者ＤＢ１２５は、販売者４に関する情報のデータベースであり、例えば図２Ｅに示すように、販売者４を一意に特定する販売者ＩＤ、当該販売者４が販売している医薬品の医薬品ＩＤである販売医薬品ＩＤ及び、販売者装置を一意に特定する販売者装置識別情報（例えば、当該販売者４が運営するオンライン販売サイトのＵＲＬなど）の情報を含んでいる。
【００７５】
サーバ医薬品ＤＢ１２６は、本発明の医薬品販売システムを利用して購入希望者２が購入することのできる医薬品を示す情報のデータベースであり、例えば図２Ｆに示すように医薬品を一意に特定する医薬品ＩＤ、医薬品名称、医薬品種別の情報が記憶されている。あるいはさらに、当該医薬品の成分、薬効、「解熱鎮痛剤」などのカテゴリ、用法、用量、副作用の内容などが記憶されていてもよい。
【００７６】
医薬品名称は、当該医薬品の名称であり、医薬品種別は、第１類医薬品、第２類医薬品などの当該医薬品の種別を表す情報である。
【００７７】
請求ＤＢ１２７は、購入希望者２への販売対象の医薬品の購入金額の一部又は全部を支払補助者１に請求するための情報のデータベースであり、例えば図２Ｇに示すように、請求情報を一意に特定する請求情報ＩＤ、請求先の支払補助者１の支払補助者ＩＤ、当該支払補助者への請求額、当該請求情報の作成年月日、医薬品を購入した購入希望者２の第１購入希望者ＩＤ、請求先の情報を含んでいる。
【００７８】
購入可能情報ＤＢ１２８は、ある購入希望者２がある医薬品を購入することができることを示す情報のデータベースであり、例えば図２Ｈに示すように、購入可能情報を一意に特定する購入可能情報ＩＤ、第１購入希望者ＩＤ、医薬品ＩＤ、購入可能量、問診終了情報、説明終了情報、理解情報の情報を含んでいる。
【００７９】
購入可能量は、当該購入希望者２が当該医薬品を購入することができる数量を示す情報である。問診終了情報は購入希望者２と専門家３との間での問診が終了したことを示す情報であり、説明終了情報は当該医薬品に関する専門家３から購入希望者２への説明が終了したことを示す情報であり、理解情報は購入希望者２が当該説明の内容を理解したことを示す情報である。
【００８０】
販売履歴ＤＢ１２９は、医薬品の販売履歴に関する情報のデータベースであり、例えば図２Ｉに示すように、第１購入希望者ＩＤ、所定期間、過去購入金額、医薬品ＩＤ、過去購入量の情報を含んでいる。
【００８１】
所定期間は、当該販売履歴情報がどの所定期間の過去購入金額又は過去購入量を示す情報であるかを示す情報である。過去購入金額は、当該購入希望者の第１所定期間における過去の購入金額の合計値が第１所定期間ごとに計算された情報である。
【００８２】
医薬品ＩＤは、当該販売履歴情報が過去購入量に関する情報である場合に、当該販売履歴情報がいずれの医薬品に関する情報であるかを示す情報である。過去購入量は、当該購入希望者の第２所定期間における当該医薬品ごとの過去の購入量の合計値が第２所定期間ごとに計算された情報である。
【００８３】
証明書パターンＤＢ１３０は、例えば支払補助者１が購入希望者２を識別する情報として発行している保険証、社員証などの証明書に表示されている情報の位置のパターンを示す情報のデータベースであり、例えば図２Ｊに示すように、証明書パターンを一意に特定するパターンＩＤ、証明書イメージ、購入希望者情報位置、支払補助者情報位置の情報を含んでいる。
【００８４】
証明書イメージは、支払補助者１が購入希望者２を識別する情報として発行している例えば保険証、社員証などの証明書の画像に関する情報であり、例えば当該証明書のサンプルの画像を解析して得られた、画像中の特徴点の位置などを示す情報である。
【００８５】
購入希望者情報位置は、当該画像中の購入希望者２を識別する情報が表示されている位置であり、例えば画像の左上の隅からの縦方向の距離及び横方向の距離をそれぞれｃｍで表した値が記憶されている。
【００８６】
支払補助者ＩＤ位置は、当該画像中の支払補助者１を識別する情報が表示されている位置であり、例えば画像の左上の隅からの縦方向の距離及び横方向の距離をそれぞれｃｍで表した値が記憶されている。
【００８７】
サーバ通信部１４０は、有線の通信ケーブル又はＷｉ−Ｆｉ（登録商標）、Ｂｌｕｅｔｏｏｔｈ（登録商標）若しくは赤外線通信などの無線通信規格に対応した通信方式によりサーバ１０と通信ネットワーク５０とを接続している。
【００８８】
購入希望者端末２０は、購入希望者端末制御部２００、購入希望者端末記憶部２１０、購入希望者端末出力部２２０、購入希望者端末入力部２３０、購入希望者端末通信部２４０を備える、例えばスマートフォン、タブレット端末、又はパーソナルコンピューターである。
【００８９】
購入希望者端末制御部２００は、ＣＰＵ等の演算処理装置、メモリ、及びＩ／Ｏデバイスなどにより構成されている。購入希望者端末制御部２００は、一のプロセッサにより構成されてもよく、相互通信可能な複数のプロセッサにより構成されてもよい。購入希望者端末制御部２００は、所定のプログラムを読み込んで実行することにより、購入希望者端末医薬品情報取得部２０１、購入希望者端末通信制御部２０２として機能する。
【００９０】
購入希望者端末医薬品情報取得部２０１は、購入希望者への販売対象の医薬品に関する情報を受け付ける。購入希望者端末通信制御部２０２は、購入希望者端末２０において当該購入希望者端末と専門家端末との間での通信を制御する。
【００９１】
購入希望者端末記憶部２１０は、例えばＲＯＭ、ＲＡＭ、ＨＤＤ等の記憶装置により構成されており、サーバ１０から受信した購入可能情報２１１及び購入希望者端末制御部２００の処理結果を記憶している。
【００９２】
購入希望者端末出力部２２０は、購入希望者２に提示する情報を出力する部分であり、例えば液晶ディスプレイ、有機ＥＬディスプレイであるディスプレイ２２１と、音声を出力するスピーカ２２２を備えている。
【００９３】
購入希望者端末入力部２３０は、購入希望者２からの情報の入力を受け付ける部分であり、画像を撮像するカメラ２３１と、マイク２３２と、タッチパネル２３３を備える。
【００９４】
購入希望者端末通信部２４０は、有線の通信ケーブル又はＷｉ−Ｆｉ（登録商標）、Ｂｌｕｅｔｏｏｔｈ（登録商標）若しくは赤外線通信などの無線通信規格に対応した通信方式により購入希望者端末２０と通信ネットワーク５０とを接続している。
【００９５】
専門家端末３０は、専門家端末制御部３００、専門家端末記憶部３１０、専門家端末出力部３２０、専門家端末入力部３３０、専門家端末通信部３４０を備える、例えばパーソナルコンピューター、タブレット端末、又はスマートフォンである。
【００９６】
専門家端末制御部３００は、ＣＰＵ等の演算処理装置、メモリ、及びＩ／Ｏデバイスなどにより構成されている。専門家端末制御部３００は、一のプロセッサにより構成されてもよく、相互通信可能な複数のプロセッサにより構成されてもよい。専門家端末制御部３００は、所定のプログラムを読み込んで実行することにより、専門家端末医薬品情報取得部３０１、専門家端末通信制御部３０２として機能する。
【００９７】
専門家端末医薬品情報取得部３０１は、購入希望者２への販売対象の医薬品を示す情報を専門家３から受け付ける。専門家端末通信制御部３０２は、専門家端末３０において当該専門家端末３０と購入希望者端末２０との間での通信を制御する。
【００９８】
専門家端末記憶部３１０は、例えばＲＯＭ、ＲＡＭ、ＨＤＤ等の記憶装置により構成されており、専門家端末制御部３００の処理結果を記憶している。
【００９９】
専門家端末出力部３２０は、専門家３に提示する情報を出力する部分であり、ディスプレイ３２１と、音声を出力するスピーカ３２２を備えている。
【０１００】
専門家端末入力部３３０は、専門家３からの情報の入力を受け付ける部分であり、画像を撮像するカメラ３３１と、マイク３３２と、キーボード３３３を備える。
【０１０１】
専門家端末通信部３４０は、有線の通信ケーブル又はＷｉ−Ｆｉ（登録商標）、Ｂｌｕｅｔｏｏｔｈ（登録商標）若しくは赤外線通信などの無線通信規格に対応した通信方式により専門家端末３０と通信ネットワーク５０とを接続している。
【０１０２】
販売者装置４０は、販売者装置制御部４００、販売者装置記憶部４１０及び販売者装置通信部４２０を備えている。あるいはさらに販売者装置４０は、販売者装置出力部４３０及び販売者装置入力部４４０を備えていてもよい。また、販売者装置４０は、サーバ、薬局等の店舗に設置されたキャッシュレジスターなどの複数の機器により構成されていてもよい。
【０１０３】
販売者装置制御部４００は、ＣＰＵ等の演算処理装置、メモリ、及びＩ／Ｏデバイスなどにより構成されている。販売者装置制御部４００は、一のプロセッサにより構成されてもよく、相互通信可能な複数のプロセッサにより構成されてもよい。販売者装置制御部４００は、所定のプログラムを読み込んで実行する。
【０１０４】
販売者装置記憶部４１０は、例えばＲＯＭ、ＲＡＭ、ＨＤＤ等の記憶装置により構成されており、販売者医薬品ＤＢ４１１及び販売者装置制御部４００の処理結果を記憶している。
【０１０５】
販売者医薬品ＤＢ４１１は、販売者４が販売する医薬品に関する情報のデータベースであり、例えば図２Ｋに示すように医薬品ＩＤ、医薬品名称、当該医薬品の所定単位ごとの金額を示す単価、医薬品種別の情報が記憶されている。
【０１０６】
販売者装置通信部４２０は、有線の通信ケーブル又はＷｉ−Ｆｉ（登録商標）、Ｂｌｕｅｔｏｏｔｈ（登録商標）若しくは赤外線通信などの無線通信規格に対応した通信方式により販売者装置４０と通信ネットワーク５０とを接続している。販売者装置出力部４３０は販売者４に提示する情報を出力する部分であり、例えば液晶パネルなどにより構成される。販売者装置入力部４４０は情報の入力を受け付ける部分であり、例えばコードリーダ、キーボードなどにより構成される。
【０１０７】
通信ネットワーク５０は、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【０１０８】
続いて、図３〜図１２を用いて本実施例の医薬品販売システムの処理の流れについて説明する。
【０１０９】
＜医薬品販売システムの処理概要＞
図３は、本実施例の医薬品販売システムの処理の概要を示している。医薬品販売システムは、処理を開始すると、まず医薬品の購入希望者２を特定するための購入希望者特定処理（図３／ＳＴＥＰ１００）を実行し、購入希望者２への販売対象となる医薬品を示す情報を受け付ける第１医薬品情報受付処理（図３／ＳＴＥＰ２００）を実行する。
【０１１０】
そして医薬品販売システムは、第１医薬品情報受付処理（図３／ＳＴＥＰ２００）において購入希望者２への販売対象となる医薬品を示す情報を受信したか否かを判定する（図３／ＳＴＥＰ３００）。
【０１１１】
医薬品販売システムは、当該判定が否定的である場合（図３／ＳＴＥＰ３００：Ｎｏ）、ＳＴＥＰ４００以降の処理を実行せずに処理を終了して、当該判定が肯定的である場合（図３／ＳＴＥＰ３００：Ｙｅｓ）、購入希望者２に医薬品を販売する医薬品販売処理（図３／ＳＴＥＰ４００）を実行する。
【０１１２】
続いて医薬品販売システムは、購入希望者２への販売対象となった医薬品を示す情報を受け付ける第２医薬品情報受付処理（図３／ＳＴＥＰ５００）を実行し、購入希望者２を識別する情報に応じて、医薬品の購入金額の一部又は全部を補助する支払補助者１を特定する補助者特定処理（図３／ＳＴＥＰ６００）を実行する。
【０１１３】
そして、医薬品販売システムは、支払補助者に応じた医薬品の販売条件を認識する条件認識処理（図３／ＳＴＥＰ７００）及び、医薬品の購入金額の一部又は全部を支払補助者に請求するための請求情報を作成する請求情報作成処理（図３／ＳＴＥＰ８００）を一連の処理として、購入希望者２への販売対象となった医薬品ごと（ループＬ１）かつ、特定された支払補助者１ごと（ループ２）に実行し、処理を終了する。
【０１１４】
以下、上記の各処理の内容の一例について説明する。  
【０１１５】
＜購入希望者特定処理＞
処理を開始すると購入希望者端末医薬品情報取得部２０１は、ディスプレイ２２１に、医薬品の購入希望者２を識別する情報の入力を受け付ける画面を表示して（図４／ＳＴＥＰ１０１）、そして、購入希望者端末入力部２３０は、医薬品の購入希望者２を識別する情報の入力を受け付ける（図４／ＳＴＥＰ１０２）。
【０１１６】
購入希望者端末医薬品情報取得部２０１は、医薬品の購入希望者２を識別する情報の入力を受け付ける画面として、画像により当該情報の入力を行うか、文字による当該情報の入力を行うかを購入希望者２に選択させる画面を表示する。
【０１１７】
購入希望者２が画像により当該情報の入力を行うことを選択した場合は、購入希望者端末医薬品情報取得部２０１は、カメラ２３１を起動し、例えば購入希望者２を識別する情報としての支払補助者１が発行した保険証、社員証などの画像の購入希望者２による撮像操作を受け付ける。
【０１１８】
購入希望者２が文字により当該情報の入力を行うことを選択した場合は、購入希望者端末医薬品情報取得部２０１は、例えばタッチパネル２３３を介して、購入希望者２を識別する情報としての第１購入希望者ＩＤあるいは購入希望者氏名及び生年月日の組み合わせなどの文字情報での購入希望者２による入力操作を受け付ける。
【０１１９】
そして、購入希望者端末医薬品情報取得部２０１は、当該入力された医薬品の購入希望者２を識別する情報をサーバ１０に送信する（図４／ＳＴＥＰ１０３）。
【０１２０】
サーバ１０の希望者情報取得部１０１は、医薬品の購入希望者２を識別する情報を受信し（図４／ＳＴＥＰ１１０）、当該受信した購入希望者２を識別する情報が画像か否かを判定する（図４／ＳＴＥＰ１１１）。
【０１２１】
当該判定が否定的である場合（図４／ＳＴＥＰ１１１）、希望者情報取得部１０１は、医薬品の購入希望者２を識別する情報は文字であると認識して、当該医薬品の購入希望者２を識別する情報に基づいて購入希望者ＤＢ１２１を参照して、当該購入希望者２を識別する情報を含む購入希望者情報が購入希望者ＤＢ１２１にあるか否かを判定する（図４／ＳＴＥＰ１２０）。
【０１２２】
当該判定が肯定的である場合、（図４／ＳＴＥＰ１２０：Ｙｅｓ）、希望者情報取得部１０１は、当該購入希望者２を識別する情報を含む購入希望者情報に含まれる第１購入希望者ＩＤを取得し（図４／ＳＴＥＰ１２１）、処理を終了する。
【０１２３】
一方、当該判定が否定的である場合、購入希望者端末医薬品情報取得部２０１は購入希望者を特定できない旨を知らせる情報を受信して例えば当該情報をディスプレイ２２１に表示して（図４／ＳＴＥＰ１４０）、ＳＴＥＰ１０１以降の処理を繰り返す。
【０１２４】
そして、ＳＴＥＰ１１１の判定が肯定的である場合（図４／ＳＴＥＰ１１１：Ｙｅｓ）、希望者情報取得部１０１は、購入希望者２を識別する情報として受信した画像を画像解析処理（図４／ＳＴＥＰ１３０）にて解析し（図４／ＳＴＥＰ１３０）、当該処理の結果として購入希望者２を特定できたか否かを判定する（図４／ＳＴＥＰ１３１）。
【０１２５】
希望者情報取得部１０１は、例えば購入希望者２を特定できたか否かの判定を、画像解析処理（図４／ＳＴＥＰ１３０）後に購入希望者を特定できたことを示すフラグがＯＮの状態にあるか否かにより判定する。すなわち、当該フラグがＯＮであれば購入希望者２を特定できたものと判定し、当該フラグがＯＦＦであれば購入希望者２を特定できなかったものと判定する。
【０１２６】
当該判定が肯定的である場合（図４／ＳＴＥＰ１３１：Ｙｅｓ）、希望者情報取得部１０１は処理を終了し、当該判定が否定的である場合（図４／ＳＴＥＰ１３１：Ｎｏ）、希望者情報取得部１０１は、ＳＴＥＰ１３２以降の処理を実行する。
【０１２７】
＜画像解析処理＞
画像の解析には種々の手法が採用されうるところであり、以下にその一例について説明する。
【０１２８】
処理を開始すると希望者情報取得部１０１は、購入希望者２を識別する情報として受信した画像に基づいて証明書パターンＤＢ１３０を参照し、当該画像と一致する証明書イメージを含む証明書パターン情報を検索し（図５／ＳＴＥＰ１３０１）、画像と一致する証明書イメージを含む証明書パターン情報を発見することができたか否かを判定する（図５／ＳＴＥＰ１３０２）。
【０１２９】
このとき希望者情報取得部１０１は、例えば購入希望者２を識別する情報として受信した画像を解析して得られた、画像中の特徴点の位置などを示す情報と、証明書パターンＤＢ１３０に記憶されている証明書パターンとを比較して、特徴点の近似度合いが所定の閾値以上である場合に、画像と一致する証明書イメージを含む証明書パターン情報を発見することができたと判定する。
【０１３０】
当該判定が否定的である場合（図５／ＳＴＥＰ１３０２：Ｎｏ）、希望者情報取得部１０１は、支払補助者１を特定できたことを示すフラグをＯＦＦに変更する（図５／ＳＴＥＰ１３０８）とともに購入希望者２を特定できたことを示すフラグをＯＦＦに変更し（図５／ＳＴＥＰ１３１６）、処理を終了する。
【０１３１】
一方当該判定が肯定的である場合（図５／ＳＴＥＰ１３０２：Ｙｅｓ）、希望者情報取得部１０１は、発見された証明書パターン情報に含まれる支払補助者情報位置を取得して（図５／ＳＴＥＰ１３０３）、取得された支払補助者情報位置が示す位置に表示されている情報を画像から取得して（図５／ＳＴＥＰ１３０４）、画像から取得された情報より文字情報を抽出する（図５／ＳＴＥＰ１３０５）。
【０１３２】
そして、希望者情報取得部１０１は、支払補助者ＤＢ１２３を参照して、画像から取得された情報より抽出された文字情報と一致する支払補助者ＩＤ又は支払補助者名称を含む支払補助者情報を検索して（図５／ＳＴＥＰ１３０６）、該当する支払補助者情報を発見できたか否かを判定する（図５／ＳＴＥＰ１３０７）。
【０１３３】
当該判定が否定的である場合（図５／ＳＴＥＰ１３０７：Ｎｏ）、希望者情報取得部１０１は、支払補助者１を特定できたことを示すフラグをＯＦＦに変更する（図５／ＳＴＥＰ１３０８）とともに、購入希望者２を特定できたことを示すフラグをＯＦＦに変更して（図５／ＳＴＥＰ１３１６）、処理を終了する。
【０１３４】
一方当該判定が肯定的である場合（図５／ＳＴＥＰ１３０７：Ｙｅｓ）、希望者情報取得部１０１は、発見された支払補助者情報に含まれる支払補助者ＩＤを取得して（図５／ＳＴＥＰ１３０９）、支払補助者１を特定できたことを示すフラグをＯＮに変更する（図５／ＳＴＥＰ１３１０）。
【０１３５】
続いて希望者情報取得部１０１は、ＳＴＥＰ１３０１にて発見された証明書パターン情報に含まれる購入希望者情報位置を取得し（図５／ＳＴＥＰ１３１１）、取得された購入希望者情報位置が示す位置に表示されている情報を画像から取得し（図５／ＳＴＥＰ１３１２）、画像から取得された情報より文字情報を抽出する（図５／ＳＴＥＰ１３１３）。
【０１３６】
そして、希望者情報取得部１０１は、購入希望者ＤＢ１２１を参照して、画像から取得された情報より抽出された文字情報と一致する第２購入希望者ＩＤを含む購入希望者情報を検索して（図５／ＳＴＥＰ１３１４）、該当する購入希望者情報を発見できたか否かを判定する（図５／ＳＴＥＰ１３１５）。
【０１３７】
当該判定が否定的である場合（図５／ＳＴＥＰ１３１５：Ｎｏ）、希望者情報取得部１０１は、購入希望者２を特定できたことを示すフラグをＯＦＦに変更して（図５／ＳＴＥＰ１３１６：Ｎｏ）、処理を終了する。
【０１３８】
一方当該判定が肯定的である場合（図５／ＳＴＥＰ１３１５：Ｙｅｓ）、希望者情報取得部１０１は、発見された購入希望者情報に含まれる第１購入希望者ＩＤを取得して（図５／ＳＴＥＰ１３１７）、購入希望者２を特定できたことを示すフラグをＯＮに変更して（図５／ＳＴＥＰ１３１８）、処理を終了する。
【０１３９】
＜第１医薬品情報受付処理＞
処理を開始すると、購入希望者端末２０の購入希望者端末通信制御部２０２は、購入希望者端末２０を識別する情報と、専門家端末３０との通信の開始を要求する情報とをサーバ１０に送信する（図６Ａ／ＳＴＥＰ２０１）。
【０１４０】
そして、サーバ１０の通信制御部１１４は、購入希望者端末２０を識別する情報と、専門家端末３０との通信の開始を要求する情報とを受信し（図６Ａ／ＳＴＥＰ２１０）、購入希望者端末２０との通信に対応可能な専門家端末３０を認識する（図６Ａ／ＳＴＥＰ２１１）。
【０１４１】
通信制御部１１４は、例えば専門家ＤＢ１２４を参照して専門家端末３０の専門家端末識別情報を取得し、当該専門家端末識別情報に基づいて、複数の専門家端末識別情報が取得された場合は所定の優先順位に従って順番に専門家端末３０に通信に対応可能かを問い合わせるための信号を送信し、専門家端末３０から通信に対応可能であることを示す情報が受信された場合に当該専門家端末３０は購入希望者端末２０との通信に対応可能であると認識する。
【０１４２】
通信制御部１１４は、このようにして認識された専門家端末３０に、購入希望者端末２０との通信の開始を要求する情報を送信する（図６Ａ／ＳＴＥＰ２１２）。
【０１４３】
専門家端末３０の専門家端末通信制御部３０２は、購入希望者端末２０との通信の開始を要求する情報を受信して（図６Ａ／ＳＴＥＰ２２０）、購入希望者端末との通信の開始を承認することを示す情報を購入希望者端末に送信する（図６Ａ／ＳＴＥＰ２２１）。
【０１４４】
そして、購入希望者端末通信制御部２０２は、購入希望者端末２０との通信の開始を承認することを示す情報を受信した（図６Ａ／ＳＴＥＰ２３０）後に、購入希望者２の病状を示す情報を専門家端末３０に送信する（図６Ａ／ＳＴＥＰ２３１）。
【０１４５】
購入希望者端末通信制御部２０２は、例えば購入希望者２に対して病状等の問診への回答を入力させる画面をディスプレイ２２１に表示し、購入希望者２の病状を示す情報の入力を受け付けて当該受け付けた情報を専門家端末３０に送信する。
【０１４６】
購入希望者２の病状を示す情報として例えば、「かぜ」、「頭痛」などの病状を示す文字情報を当該購入希望者２に選択入力、又は文字情報を手入力させて専門家端末３０に送信してもよい。
【０１４７】
専門家端末通信制御部３０２は、購入希望者の病状を示す情報を受信する（図６Ａ／ＳＴＥＰ２４１）。
【０１４８】
そして、専門家端末医薬品情報取得部３０１は、病院での診療を促す情報又は、病状を示す情報に基づいて専門家３が選択した、購入希望者２への販売対象となる医薬品を示す情報の専門家３による入力を受け付ける（図６Ａ／ＳＴＥＰ２４２）。
【０１４９】
専門家端末医薬品情報取得部３０１は、「内科の病院での受診をお勧めします」などの病院での診療を促す情報又は「花粉症対策薬Ａ」などの購入希望者２への販売対象となる医薬品を示す情報を示す文字情報を当該専門家３に選択入力、又は文字情報を手入力させてもよいし、あるいは当該専門家が病院での診療を促し又は購入希望者２への販売対象となる医薬品について話す音声をマイク３３２で取得してもよいし、併せてカメラ３３１で専門家３の顔などの動画像又は静止画像を撮像してもよい。
【０１５０】
また、購入希望者２への販売対象となる医薬品を示す情報に、当該専門家３からの当該医薬品に関する薬効、用法、用量、副作用などに関する説明の情報が含まれている場合は、専門家端末医薬品情報取得部３０１は、当該説明の情報も含めて入力を受け付ける。
【０１５１】
なお、専門家端末医薬品情報取得部３０１は、専門家３が医薬品を選択した際に、当該医薬品と成分、薬効、又はカテゴリが同一であって、支払補助者１による補助度合いが高いため当該購入希望者２がより安価に購入することができるその他の医薬品に関する情報を含めてディスプレイ３２１に表示し、これらの医薬品の中から選択させることにより、購入希望者２への販売対象となる医薬品を示す情報の専門家３による入力を受け付けるように構成されていてもよい。また、専門家端末医薬品情報取得部３０１は、成分、薬効、又はカテゴリなどの指定により、医薬品を検索し、検索された医薬品の金額と第１〜第３支払補助者による補助度合いとを合わせてディスプレイ３２１に表示し、これらの医薬品のなかから選択させることにより、購入希望者２への販売対象となる医薬品を示す情報の専門家３による入力を受け付けるように構成されていてもよい。
【０１５２】
また、専門家端末医薬品情報取得部３０１は、現在日時又は指定された医薬品の量と医薬品の販売条件とを比較することにより、医薬品の購入時期を遅らせるか又は購入量を減らせば、当該医薬品の販売条件を満たすため支払補助者１による補助を受けられる旨の情報をディスプレイ３２１に表示し、当該情報を参照しながら購入希望者２への販売対象となる医薬品を示す情報の入力を行うことを専門家３に促すように構成されていてもよい。
【０１５３】
そして専門家端末医薬品情報取得部３０１は、購入希望者２への販売対象となる医薬品を示す情報が受け付けられたかを判定する（図６Ｂ／ＳＴＥＰ２４３）。
【０１５４】
専門家端末医薬品情報取得部３０１は、例えばＳＴＥＰ２４２にて病院での診療を促す情報又は、病状を示す情報に基づいて専門家３が選択した、購入希望者２への販売対象となる医薬品を示す情報の入力を受け付ける際に、併せて当該情報が購入希望者２への販売対象となる医薬品を示す情報であるか否かを専門家３に選択させるボタンなどを表示し、当該ボタンがクリック等されたか否かにより購入希望者２への販売対象となる医薬品を示す情報が受け付けられたかを判定する。
【０１５５】
当該判定が否定的である場合（図６Ｂ／ＳＴＥＰ２４３：Ｎｏ）、専門家端末医薬品情報取得部３０１は、病院での診療を促す情報を購入希望者端末２０に送信する（図６Ｂ／ＳＴＥＰ２４４）。そして購入希望者端末通信制御部２０２は、病院での診療を促す情報を受信し（図６Ｂ／ＳＴＥＰ２６０）、処理を終了する。
【０１５６】
一方当該判定が否定的である場合（図６Ｂ／ＳＴＥＰ２４３：Ｙｅｓ）、専門家端末医薬品情報取得部３０１は、購入希望者２への販売対象となる医薬品を示す情報を購入希望者端末２０及びサーバ１０に送信する（図６Ｂ／ＳＴＥＰ２４５）。
【０１５７】
サーバ１０の医薬品情報受付部１０２は、ＳＴＥＰ２４５にて専門家端末３０が送信した購入希望者２への販売対象となる医薬品を示す情報を受信する（図６Ｂ／ＳＴＥＰ２７０）。
【０１５８】
専門家端末医薬品情報取得部３０１は、例えば当該情報の送信先の購入希望者２の第１購入希望者ＩＤと医薬品ＩＤと当該医薬品の購入可能量とを購入希望者２への販売対象となる医薬品を示す情報として、購入希望者端末２０及びサーバ１０に送信する。
【０１５９】
このとき専門家端末医薬品情報取得部３０１は、専門家３が入力した医薬品名称に基づいてサーバ１０のサーバ医薬品ＤＢを参照して、当該医薬品名称に対応する医薬品ＩＤを取得し、当該医薬品ＩＤを購入希望者２への販売対象となる医薬品を示す情報に含めて購入希望者端末２０及びサーバ１０に送信する。
【０１６０】
そして、専門家端末医薬品情報取得部３０１は、購入希望者２への販売対象となる医薬品は所定種別の医薬品か否かを判定する（図６Ｂ／ＳＴＥＰ２４６）。
【０１６１】
専門家端末医薬品情報取得部３０１は、例えばＳＴＥＰ２４５にてサーバ１０に送信した情報に含まれる医薬品ＩＤに基づいてサーバ医薬品ＤＢを参照して当該医薬品ＩＤに対応する医薬品種別を取得して、当該医薬品が所定種別の医薬品か否かを判定する。
【０１６２】
本実施例においては所定種別が「第１類医薬品」である場合について説明する。
【０１６３】
ＳＴＥＰ２４５にてサーバ１０に送信した情報に含まれる医薬品ＩＤが「Ｍ−００００００１」である場合、当該医薬品ＩＤに対応する医薬品種別は「第１類医薬品」であるので、購入希望者２への販売対象となる医薬品は所定種別の医薬品であると判定される。
【０１６４】
専門家端末医薬品情報取得部３０１は、当該判定が否定的である場合（図６Ｂ／ＳＴＥＰ２４６：Ｎｏ）、処理を終了する。
【０１６５】
一方当該判定が肯定的である場合（図６Ｂ／ＳＴＥＰ２４６：Ｙｅｓ）、専門家端末医薬品情報取得部３０１は、問診が終了したことを示す問診終了情報をサーバ１０に送信して（図６Ｂ／ＳＴＥＰ２４７）、購入希望者２への販売対象となる医薬品に関する専門家３から購入希望者２への説明が終了したことを示す説明終了情報をサーバ１０に送信する（図６Ｃ／ＳＴＥＰ２４８）。
【０１６６】
そしてサーバ１０の問診受信部１０９は、専門家端末３０から問診終了情報を受信して（図６Ｂ／ＳＴＥＰ２７１）、説明受信部１１０は、専門家端末３０から説明終了情報を受信する（図６Ｃ／ＳＴＥＰ２７２）。
【０１６７】
専門家端末医薬品情報取得部３０１は、例えば問診が終了したことを示すボタン及び説明が終了したことを示すボタンなどをディスプレイ３２１に表示し、当該ボタンが専門家３にクリック等される操作に応じて、問診終了情報及び説明終了情報をそれぞれサーバ１０に送信する。
【０１６８】
購入希望者端末医薬品情報取得部２０１は、ＳＴＥＰ２４５にて専門家端末３０が送信した購入希望者２への販売対象となる医薬品を示す情報を受信して（図６Ｂ／ＳＴＥＰ２６１）、購入希望者２への販売対象となる医薬品は所定種別の医薬品か否かを判定する（図６Ｂ／ＳＴＥＰ２６２）。
【０１６９】
購入希望者端末医薬品情報取得部２０１は、例えば受信した情報に含まれる医薬品ＩＤに基づいてサーバ医薬品ＤＢを参照して当該医薬品ＩＤに対応する医薬品種別を取得して、当該医薬品が所定種別の医薬品か否かを判定する。
【０１７０】
購入希望者端末医薬品情報取得部２０１は、当該判定が否定的である場合（図６Ｂ／ＳＴＥＰ２６２：Ｎｏ）、処理を終了し、当該判定が肯定的である場合（図６Ｂ／ＳＴＥＰ２６２：Ｙｅｓ）、専門家３による説明の内容を理解したことを示す理解情報をサーバ１０に送信し（図６Ｃ／ＳＴＥＰ２６３）、サーバ１０の理解受信部１１１は、購入希望者端末２０から理解情報を受信する（図６Ｃ／ＳＴＥＰ２７３）。
【０１７１】
購入希望者端末医薬品情報取得部２０１は、例えば専門家３による説明の内容を理解したことを示すボタンなどをディスプレイ２２１に表示し、当該ボタンが購入希望者２によりタップ等される操作に応じて、理解情報をサーバ１０に送信する。
【０１７２】
そして、購入可能情報送信部１１２は、購入希望者への販売対象となる医薬品は所定種別の医薬品か否かを判定する（図６Ｃ／ＳＴＥＰ２７４）。購入可能情報送信部１１２は、例えばＳＴＥＰ２７０にて受信した情報に含まれる医薬品ＩＤに基づいてサーバ医薬品ＤＢを参照して当該医薬品ＩＤに対応する医薬品種別を取得して、当該医薬品が所定種別の医薬品か否かを判定する。
【０１７３】
購入可能情報送信部１１２は、当該判定が否定的である場合（図６Ｃ／ＳＴＥＰ２７４：Ｎｏ）、処理を終了し、当該判定が肯定的である場合（図６Ｃ／ＳＴＥＰ２７４：Ｙｅｓ）、問診終了情報、説明終了情報、理解情報が受信されたか否かを判定する（図６Ｃ／ＳＴＥＰ２７５）。
【０１７４】
当該判定が否定的である場合（図６Ｃ／ＳＴＥＰ２７５：Ｎｏ）、購入可能情報送信部１１２は、問診終了情報、説明終了情報、理解情報が購入希望者端末２０から送信されるまで、ＳＴＥＰ２７１〜ＳＴＥＰ２７４以降の処理を繰り返す。
【０１７５】
一方当該判定が肯定的である場合（図６Ｃ／ＳＴＥＰ２７５：Ｙｅｓ）、購入可能情報送信部１１２は、例えば購入可能情報を一意に特定する購入可能情報ＩＤを採番するとともに、ＳＴＥＰ２７０にて受信された購入希望者２への販売対象となる医薬品を示す情報に含まれる第１購入希望者ＩＤと医薬品ＩＤと購入可能量、ＳＴＥＰ２７２にて受信された問診終了情報、ＳＴＥＰ２７３にて受信された説明終了情報、及びＳＴＥＰ２７４にて受信された理解情報を用いて、購入可能情報を生成し、購入可能情報ＤＢ１２８に記憶して、購入希望者端末２０に送信する（図６Ｃ／ＳＴＥＰ２７６）。
【０１７６】
そして、購入希望者端末通信制御部２０２は、サーバ１０から送信された購入可能情報を受信して、購入希望者端末記憶部２１０に記憶して（図６Ｃ／ＳＴＥＰ２８０）、処理を終了する。
【０１７７】
＜医薬品販売処理＞
処理を開始すると、購入希望者端末医薬品情報取得部２０１は、当該購入希望者端末２０を識別する情報と、医薬品の購入を希望することを示す情報とをサーバ１０に送信する（図７／ＳＴＥＰ４０１）。購入希望者端末医薬品情報取得部２０１は、例えば購入希望者２の操作に応じて医薬品の購入を希望することを示す情報として、購入を希望する医薬品の医薬品ＩＤを含む情報をサーバ１０に送信する。
【０１７８】
通信制御部１１４は、購入希望者端末２０を識別する情報と、医薬品の購入を希望することを示す情報を受信して（図７／ＳＴＥＰ４１０）、購入希望者２が購入を希望する医薬品を販売可能な販売者装置４０を認識して（図７／ＳＴＥＰ４１１）、当該認識された販売者装置４０を識別する情報を購入希望者端末２０に送信する（図７／ＳＴＥＰ４１２）。
【０１７９】
通信制御部１１４は、例えば販売者ＤＢを参照して、ＳＴＥＰ４１０にて受信した医薬品の購入を希望することを示す情報に含まれる医薬品ＩＤを販売医薬品ＩＤに含む販売者情報を抽出することで購入希望者２が購入を希望する医薬品を販売可能な販売者装置４０を認識して、当該抽出された販売者情報に含まれる販売者装置識別情報を当該認識された販売者装置４０を識別する情報として購入希望者端末２０に送信する。
【０１８０】
購入希望者端末医薬品情報取得部２０１は、サーバ１０から、販売者装置４０を識別する情報を受信して、（図７／ＳＴＥＰ４２０）、当該受信した販売者装置４０を識別する情報に基づいて販売者装置４０を特定して、購入希望者２が購入を希望する医薬品に関する情報を販売者装置４０に送信し（図７／ＳＴＥＰ４２１）、販売者装置制御部４００は、購入希望者２が購入を希望する医薬品に関する情報を受信する（図７／ＳＴＥＰ４３０）。
【０１８１】
購入希望者端末医薬品情報取得部２０１は、例えば購入希望者２の操作に応じて販売者装置４０における購入希望者２を識別する情報（ユーザＩＤなど）と、第１購入希望者ＩＤと医薬品ＩＤと当該医薬品の購入希望量（例えば３０錠、６０包、２箱など。）とを購入希望者２が購入を希望する医薬品に関する情報として、販売者装置４０に送信する。
【０１８２】
このとき購入希望者端末医薬品情報取得部２０１は、ＳＴＥＰ４２０にて販売者装置４０を識別する情報が複数受信された場合は、例えば購入希望者２の操作に応じて購入希望者２が購入を希望する医薬品に関する情報を送信するべき販売者装置４０を認識し、当該認識された販売者装置４０を識別する情報に基づいて販売者装置４０を特定して、購入希望者２が購入を希望する医薬品に関する情報を販売者装置４０に送信する。
【０１８３】
そして、購入希望者端末医薬品情報取得部２０１は、購入希望者が購入を希望する医薬品は所定種別の医薬品か否かを判定する（図７／ＳＴＥＰ４２２）。
【０１８４】
当該判定が肯定的である場合（図７／ＳＴＥＰ４２２：Ｙｅｓ）、購入希望者端末医薬品情報取得部２０１は、購入希望者２が購入を希望する医薬品に対応する購入可能情報２１１を販売者装置４０に送信し（図７／ＳＴＥＰ４２３）、販売者装置制御部４００は、購入可能情報２１１を受信する（図７／ＳＴＥＰ４３１）。
【０１８５】
一方当該判定が否定的である場合（図７／ＳＴＥＰ４２２：Ｎｏ）、購入希望者端末医薬品情報取得部２０１は、購入可能情報２１１を販売者装置４０に送信しない。
【０１８６】
そして、販売者装置制御部４００は、購入希望者２が購入を希望する医薬品は所定種別の医薬品か否かを判定する（図７／ＳＴＥＰ４３２）。
【０１８７】
販売者装置制御部４００は、例えば販売者医薬品ＤＢ４１１を参照して、ＳＴＥＰ４３０にて受信した購入希望者２が購入を希望する医薬品に関する情報に含まれる医薬品ＩＤに対応する医薬品の医薬品種別を取得し、当該医薬品が所定種別の医薬品か否かを判定する。
【０１８８】
販売者装置制御部４００は、当該判定が否定的である場合（図７／ＳＴＥＰ４３２：Ｎｏ）、ＳＴＥＰ４３３の処理を行わずにＳＴＥＰ４３４の処理を実行し、当該判定が肯定的である場合（図７／ＳＴＥＰ４３２：Ｙｅｓ）、購入希望者２が購入を希望する医薬品に対応する購入可能情報を受信したか否かを判定する（図７／ＳＴＥＰ４３３）。
【０１８９】
例えば販売者装置制御部４００は、ＳＴＥＰ４３０にて受信した購入希望者２が購入を希望する医薬品に関する情報に含まれる購入希望者２の第１購入希望者ＩＤと医薬品ＩＤと当該医薬品の購入希望量と、ＳＴＥＰ４３１にて受信した購入可能情報に含まれる第１購入希望者ＩＤと医薬品ＩＤと当該医薬品の購入可能量とがそれぞれ同一であるか否かにより、購入希望者２が購入を希望する医薬品に対応する購入可能情報を受信したか否かを判定する。
【０１９０】
当該判定が否定的である場合（図７／ＳＴＥＰ４３３：Ｎｏ）、販売者装置制御部４００は、ＳＴＥＰ４３１以降の処理を繰り返す。
【０１９１】
一方当該判定が肯定的である場合（図７／ＳＴＥＰ４３３：Ｙｅｓ）、販売者装置制御部４００は、当該医薬品の購入代金を決済し、購入希望者２が医薬品を購入したことを示す情報を購入希望者端末２０に送信する（図７／ＳＴＥＰ４３４）。
【０１９２】
購入希望者２が医薬品を購入したことを示す情報には、例えば第１購入希望者ＩＤ、医薬品の購入年月日、購入金額、購入希望者２への販売の対象となった医薬品の医薬品ＩＤ、購入量の情報及び販売者４を識別する情報が含まれている。
【０１９３】
販売者装置４０による当該医薬品の購入代金を決済には種々の手法を採用しうる。例えば販売者装置制御部４００は、まず販売者医薬品ＤＢ４１１を参照して、ＳＴＥＰ４３０にて受信した購入希望者２が購入を希望する医薬品に関する情報に含まれる医薬品ＩＤに対応する医薬品の単価を取得する。そして販売者装置制御部４００は、当該単価とＳＴＥＰ４３０にて受信した購入希望者２が購入を希望する医薬品に関する情報に含まれる購入希望量との積を求めて医薬品の購入代金の金額を算出する。
【０１９４】
そして、販売者装置制御部４００は、医薬品の購入のたびに購入希望者端末２０から購入希望者２のクレジットカード情報などの、購入代金の決済に必要な情報を受信し、当該情報に基づいて医薬品の購入代金を決済する。
【０１９５】
そして、購入希望者端末医薬品情報取得部２０１は、購入希望者２が医薬品を購入したことを示す情報を受信して、購入希望者端末記憶部２１０に記憶して（図７／ＳＴＥＰ４４０）処理を終了する。
【０１９６】
＜第２医薬品情報受付処理＞
処理を開始すると、購入希望者端末医薬品情報取得部２０１は、購入希望者２が医薬品を購入したことを示す情報をサーバ１０に送信し（図８／ＳＴＥＰ５０１）、サーバ１０の医薬品情報受付部１０２は、当該購入希望者２が医薬品を購入したことを示す情報を受信して（図８／ＳＴＥＰ５１０）、当該受信した購入希望者２が医薬品を購入したことを示す情報から、当該医薬品の販売年月日、当該購入希望者２への販売の対象となった医薬品の医薬品ＩＤ、当該医薬品の販売数量、当該医薬品の代金、販売者を識別する情報を取得する（図８／ＳＴＥＰ５１１）。
【０１９７】
そして購入希望者端末医薬品情報取得部２０１は、購入希望者２が購入した医薬品は所定種別の医薬品か否かを判定し（図８／ＳＴＥＰ５０２）、当該判定が肯定的である場合（図８／ＳＴＥＰ５０２：Ｙｅｓ）、対応する購入可能情報２１１をサーバ１０に送信して（図８／ＳＴＥＰ５０３）、購入可能情報受付部１１３は、当該購入可能情報２１１を受信する（図８／ＳＴＥＰ５１２）。
【０１９８】
そして、医薬品情報受付部１０２は、購入希望者２への販売の対象となった医薬品は所定種別の医薬品か否かを判定して（図８／ＳＴＥＰ５１３）、当該判定が否定的である場合（図８／ＳＴＥＰ５１３：Ｎｏ）は処理を終了し、当該判定が肯定的である場合（図８／ＳＴＥＰ５１３：Ｙｅｓ）、購入希望者２への販売の対象となった医薬品に対応する購入可能情報を受信したかを判定する（図８／ＳＴＥＰ５１４）。
【０１９９】
例えば医薬品情報受付部１０２は、ＳＴＥＰ５１０にて受信した購入希望者２が医薬品を購入したことを示す情報に含まれる第１購入希望者ＩＤと医薬品ＩＤと当該医薬品の購入希望量と、ＳＴＥＰ５１１にて受信した購入可能情報に含まれる第１購入希望者ＩＤと医薬品ＩＤと当該医薬品の購入可能量とがそれぞれ同一であるか否かにより、購入希望者２への販売の対象となった医薬品に対応する購入可能情報を受信したかを判定する。
【０２００】
当該判定が否定的である場合（図８／ＳＴＥＰ５１４：Ｎｏ）、医薬品情報受付部１０２は、購入希望者端末２０から購入可能情報が送信されるのを待ってＳＴＥＰ５１２以降の処理を繰り返す。
【０２０１】
一方当該判定が肯定的である場合（図８／ＳＴＥＰ５１４：Ｙｅｓ）、医薬品情報受付部１０２は、処理を終了する。
【０２０２】
＜補助者特定処理＞
処理を開始すると、まずサーバ１０の補助者特定部１０３は、購入希望者特定処理（図３／ＳＴＥＰ１００）にて受信した、購入希望者２を識別する情報は画像か否かを判定し（図９／ＳＴＥＰ６０１）、当該判定が肯定的である場合（図９／ＳＴＥＰ６０１：Ｙｅｓ）、当該画像から特定した支払補助者ＩＤを第１の支払補助者の支払補助者ＩＤとして認識する（図９／ＳＴＥＰ６０２）。
【０２０３】
一方当該判定が否定的である場合（図９／ＳＴＥＰ６０１：Ｎｏ）、ＳＴＥＰ１２０にて存在が確認された、購入希望者２を識別する情報を含む購入希望者情報に含まれる支払補助者ＩＤを第１の支払補助者の支払補助者ＩＤとして認識する（図９／ＳＴＥＰ６０３）。
【０２０４】
購入希望者特定処理（図３／ＳＴＥＰ１００）にて特定した支払補助者ＩＤを第１の支払補助者の支払補助者ＩＤとして認識する（図９／ＳＴＥＰ６０１）。
【０２０５】
次に補助者特定部１０３は、支払補助者ＤＢ１２３を参照して、第２医薬品情報受付処理（図３／ＳＴＥＰ５００）にて取得された医薬品の販売者を識別する情報と一致する支払補助者ＩＤを含む支払補助者情報を検索する（図９／ＳＴＥＰ６０２）。
【０２０６】
そして、補助者特定部１０３は、医薬品の販売者を識別する情報と一致する支払補助者ＩＤを含む支払補助者情報を抽出できたか否かを判定する（図９／ＳＴＥＰ６０３）。
【０２０７】
当該判定が肯定的である場合（図９／ＳＴＥＰ６０３：Ｙｅｓ）、補助者特定部１０３は、発見された支払補助者情報の支払補助者ＩＤを第２の支払補助者の支払補助者ＩＤとして認識する（図９／ＳＴＥＰ６０４）。
【０２０８】
続いて補助者特定部１０３は、支払補助者ＤＢを参照して、種別がシステム提供者である支払補助者情報を検索し（図９／ＳＴＥＰ６０５）、支払補助者情報を発見できたかを判定する（図９／ＳＴＥＰ６０６）。
【０２０９】
当該判定が肯定的である場合（図９／ＳＴＥＰ６０６：Ｙｅｓ）、補助者特定部１０３は、発見された支払補助者情報の支払補助者ＩＤを第３の支払補助者の支払補助者ＩＤとして認識して（図９／ＳＴＥＰ６０７）処理を終了する。
【０２１０】
このようにして補助者特定部１０３により認識された第１、第２又は第３の支払補助者の支払補助者ＩＤが、当該購入希望者２の支払補助者１の支払補助者ＩＤとして特定される。
【０２１１】
なお、第１の支払補助者は、必ずしも特定されなくともよい。例えば、購入希望者特定処理（図３／ＳＴＥＰ１００）にて受信した購入希望者２を識別する情報に第１の支払補助者の支払補助者ＩＤを特定するための情報が含まれていない場合、又は、購入希望者２を識別する情報の入力がなかった場合、補助者特定部１０３は、第１の支払補助者を特定せずに、第３の又は第２の支払補助者を特定する。
【０２１２】
＜条件認識処理＞
条件認識処理の流れは以下のとおりである。なお上述の通り、条件認識処理及び後述する請求情報作成処理は一連の処理として、購入希望者２への販売対象となった医薬品を示す情報ごと（ループＬ１）かつ、特定された支払補助者１ごと（ループ２）に実行される。
【０２１３】
処理を開始すると、まずサーバ１０の過去購入金額取得部１０６は、補助者特定処理（図３／ＳＴＥＰ６００）にて特定された支払補助者ＩＤに基づいて支払補助者ＤＢ１２３を参照して、購入上限額が取得できるか否かを判定する（図１０Ａ／ＳＴＥＰ７０１）。
【０２１４】
過去購入金額取得部１０６は、当該判定が否定的である場合（図１０Ａ／ＳＴＥＰ７０１：Ｎｏ）、ＳＴＥＰ７０２〜７０４の処理を行わずに、ＳＴＥＰ７０５以降の処理を実行し、当該判定が肯定的である場合（図１０Ａ／ＳＴＥＰ７０１：Ｙｅｓ）は、条件認識部１０４は、取得された購入上限額を販売条件として認識する（図１０Ａ／ＳＴＥＰ７０２）。
【０２１５】
続いて過去購入金額取得部１０６は、購入希望者特定処理（図３／ＳＴＥＰ５００）にて特定された第１購入希望者ＩＤ及び医薬品の販売年月日に基づいて販売履歴ＤＢ１２９を参照して、購入希望者２の第１所定期間における医薬品の過去の購入金額を取得する（図１０Ａ／ＳＴＥＰ７０３）。
【０２１６】
そして条件認識部１０４は、当該購入希望者２の第１所定期間における医薬品の過去の購入金額と当該購入希望者の今回の購入希望金額との合計が、購入上限額以下か否かを判定する（図１０Ａ／ＳＴＥＰ７０４）。
【０２１７】
条件認識部１０４は、当該判定が肯定的である場合（図１０Ａ／ＳＴＥＰ７０４：Ｙｅｓ）、購入金額の条件を満たすフラグをＯＮに変更し（図１０Ａ／ＳＴＥＰ７０５）、当該判定が否定的である場合（図１０Ａ／ＳＴＥＰ７０４：Ｎｏ）、購入金額の条件を満たすフラグをＯＦＦに変更する（図１０Ａ／ＳＴＥＰ７０６）。
【０２１８】
次に過去購入量取得部１０７は、補助者特定処理（図３／ＳＴＥＰ６００）にて取得された支払補助者ＩＤ、医薬品ＩＤに基づいて支払補助者ＤＢ１２３を参照して、購入上限量が取得できるか否かを判定する（図１０Ｂ／ＳＴＥＰ７０７）。
【０２１９】
当該判定が否定的である場合（図１０Ｂ／ＳＴＥＰ７０７：Ｎｏ）、過去購入量取得部１０７はＳＴＥＰ７０８〜７１０の処理を行わずに、ＳＴＥＰ７１１以降の処理を実行し、当該判定が肯定的である場合（図１０Ｂ／ＳＴＥＰ７０７：Ｙｅｓ）条件認識部１０４は、取得した購入上限量を販売条件として認識する（図１０Ｂ／ＳＴＥＰ７０８）。
【０２２０】
続いて過去購入量取得部１０７は、購入希望者特定処理（図３／ＳＴＥＰ１００）にて特定された第１購入希望者ＩＤ、第２医薬品情報受付処理（図３／ＳＴＥＰ５００）にて取得した医薬品ＩＤ及び当該医薬品の販売年月日に基づいて販売履歴ＤＢ１２９を参照して、購入希望者２の第２所定期間における当該医薬品の過去の購入量を取得する（図１０Ｂ／ＳＴＥＰ７０９）。
【０２２１】
そして条件認識部１０４は、購入希望者２の第２所定期間における、当該購入希望者２への販売の対象となった医薬品と同一の種別の医薬品の過去の購入量と当該購入希望者の当該医薬品の今回の購入量との合計が、購入上限量以下か否かを判定する（図１０Ｂ／ＳＴＥＰ７１０）。
【０２２２】
条件認識部１０４は、当該判定が肯定的である場合（図１０Ｂ／ＳＴＥＰ７１０：Ｙｅｓ）、購入量の条件を満たすフラグをＯＮに変更し（図１０Ｂ／ＳＴＥＰ７１１）、当該判定が否定的である場合（図１０Ｂ／ＳＴＥＰ７１０：Ｎｏ）、購入量の条件を満たすフラグをＯＦＦに変更する（図１０Ｂ／ＳＴＥＰ７１２）。
【０２２３】
続いて医薬品グループ取得部１０８は、補助者特定処理（図３／ＳＴＥＰ６００）にて特定された支払補助者ＩＤに基づいて支払補助者ＤＢ１２３を参照して、支払補助者１が代金の一部又は全部を補助する対象としている１又は複数の医薬品からなる医薬品グループを取得し（図１０Ｂ／ＳＴＥＰ７１３）、条件認識部１０４は当該取得した医薬品グループに含まれていることを販売条件として認識し（図１０Ｃ／ＳＴＥＰ７１４）、購入希望者２への販売の対象となった医薬品が、当該医薬品グループに含まれているか否かを判定する（図１０Ｃ／ＳＴＥＰ７１５）。
【０２２４】
条件認識部１０４は、当該判定が肯定的である場合（図１０Ｃ／ＳＴＥＰ７１５：Ｙｅｓ）、医薬品グループに含まれていることの条件を満たすフラグをＯＮに変更し（図１０Ｃ／ＳＴＥＰ７１６）、当該判定が否定的である場合（図１０Ｃ／ＳＴＥＰ７１５：Ｎｏ）、医薬品グループに含まれていることの条件を満たすフラグをＯＦＦに変更する（図１０Ｃ／ＳＴＥＰ７１７）。
【０２２５】
さらに条件認識部１０４は、購入希望者２への販売の対象となった医薬品は所定種別の医薬品か否かを判定し（図１０Ｃ／ＳＴＥＰ７１８）、当該判定が否定的である場合（図１０Ｃ／ＳＴＥＰ７１８：Ｎｏ）、ＳＴＥＰ７１９〜７２０の処理を実行せずにＳＴＥＰ７２１以降の処理を実行し、当該判定が肯定的である場合（図１０Ｃ／ＳＴＥＰ７１８：Ｙｅｓ）、購入可能情報を受け付けることを販売条件として認識して（図１０Ｃ／ＳＴＥＰ７１９）、第２医薬品情報受付処理（図３／ＳＴＥＰ５００）にて購入可能情報を受け付けたか否かを判定する（図１０Ｃ／ＳＴＥＰ７２０）。
【０２２６】
条件認識部１０４は、当該判定が肯定的である場合（図１０Ｃ／ＳＴＥＰ７２０：Ｙｅｓ）、購入可能情報を受け付けることの条件を満たすフラグをＯＮに変更して（図１０Ｃ／ＳＴＥＰ７２１）処理を終了し、当該判定が否定的である場合（図１０Ｃ／ＳＴＥＰ７２０：Ｎｏ）、購入可能情報を受け付けることの条件を満たすフラグをＯＦＦに変更して（図１０Ｃ／ＳＴＥＰ７２２）処理を終了する。
【０２２７】
あるいはさらに、条件認識部１０４は、専門家端末３０から医薬品を示す情報を受け付けることを販売条件として認識するように構成されていてもよい。この場合、条件認識部１０４は、第１医薬品情報受付処理（図３／ＳＴＥＰ２００）にて専門家端末３０から医薬品を示す情報を受け付けたか否かを判定し、当該判定が肯定的である場合、専門家端末３０から医薬品を示す情報を受け付けることの条件を満たすフラグをＯＮに変更し、当該判定が否定的である場合、当該条件を満たすフラグをＯＦＦに変更する。
【０２２８】
＜請求情報作成処理＞
処理を開始すると、サーバ１０の請求情報作成部１０５は、医薬品の販売条件を満たしているか否かを、各条件を満たすフラグがＯＮになっているか否かにより判定する（図１１／ＳＴＥＰ８０１）。
【０２２９】
当該判定が否定的である場合（図１１／ＳＴＥＰ８０１：Ｎｏ）、請求情報作成部１０５は処理を終了する。
【０２３０】
一方当該判定が肯定的である場合（図１１／ＳＴＥＰ８０１：Ｙｅｓ）、請求情報作成部１０５は、補助者特定処理（図３／ＳＴＥＰ６００）にて特定された支払補助者ＩＤに基づいて支払補助者ＤＢ１２３を参照して、当該支払補助者１の補助度合と請求先の情報を取得する（図１１／ＳＴＥＰ８０２）。
【０２３１】
このとき例えば請求情報作成部１０５は、第１の支払補助者が特定できている場合には、第１の支払補助者についてのみＳＴＥＰ８０２以降の処理を行って、第２・第３の支払補助者についてはＳＴＥＰ８０２以降の処理を行わないように構成されていてもよいし、特定された第１〜第３のすべての支払補助者についてＳＴＥＰ８０２以降の処理を行うように構成されていてもよい。
【０２３２】
そして請求情報作成部１０５は、取得した補助度合の情報と医薬品を購入したことを示す情報に含まれる医薬品の購入金額と請求先の情報とに応じて、医薬品の代金の一部または全部を支払補助者１に請求するための請求情報を作成して（図１１／ＳＴＥＰ８０３）処理を終了する。
【０２３３】
例えば請求情報作成部１０５は、取得した補助度合の情報が「７０％ポイント付与」であり、医薬品の購入金額が２０００円である場合は、当該支払補助者１への請求額は１４００円となる。
【０２３４】
請求情報作成部１０５は、例えばこのようにして算出された請求額と、請求情報を一意に特定する請求情報ＩＤと、補助者特定処理により特定された支払補助者ＩＤと、請求情報の作成年月日と、第１購入希望者ＩＤと請求先の情報とを含む請求情報を作成する。
【０２３５】
また、取得した補助度合の情報が「ポイント付与」に関するものである場合、請求情報作成部１０５は、購入希望者２に付与されるポイント数を算出して、当該購入希望者の購入希望者情報の所有ポイントに加算する処理を併せて実行する。
【０２３６】
＜医薬品の受け取り方の説明＞
上記のような処理を経て販売者４から購入希望者２への販売対象となった医薬品を、当該購入希望者２が受け取る流れの一例として、薬局等の店舗にて所定種別の医薬品を受け取る場合の流れについて説明する。
【０２３７】
まず、販売者装置制御部４００は、例えば、購入希望者２が購入を希望する医薬品の箱などに印字された一次元コードを販売者装置入力部４４０であるコードリーダを介して、購入希望者２が購入を希望する数量分読み取ることにより、購入希望者２が購入を希望する医薬品の医薬品ＩＤ及び数量の入力を受け付ける（図１２／ＳＴＥＰ９０１）。
【０２３８】
そして、購入希望者端末医薬品情報取得部２０１は、購入希望者２の操作に基づいて購入可能情報としての二次元コードをディスプレイ２２１に表示する（図１２／ＳＴＥＰ９０２）。
【０２３９】
販売者装置制御部４００は、コードリーダを介して当該二次元コードを読み取り（図１２／ＳＴＥＰ９０３）、サーバ１０の購入可能情報ＤＢ１２８を参照して、読み取った情報に対応する医薬品ＩＤ、購入可能量を取得して（図１２／ＳＴＥＰ９０４）、当該取得した医薬品ＩＤ及び購入可能量と、ＳＴＥＰ９０１にて受け付けた購入希望者２が購入を希望する医薬品の医薬品ＩＤ及び数量とが一致するかを判定する（図１２／ＳＴＥＰ９０５）。
【０２４０】
販売者装置制御部４００は、当該判定が肯定的である場合（図１２／ＳＴＥＰ９０５：Ｙｅｓ）、購入希望者２が購入を希望する医薬品を販売してよいことを示す情報を販売者装置出力部４３０に表示して（図１２／ＳＴＥＰ９０６）、当該判定が否定的である場合（図１２／ＳＴＥＰ９０５：Ｎｏ）、購入希望者２が購入を希望する医薬品を販売できないことを示す情報を販売者装置出力部４３０に表示する（図１２／ＳＴＥＰ９０７）。そして販売者装置制御部４００は処理を終了する。
【０２４１】
以上述べてきたように、本発明の医薬品販売システムによれば、非処方薬を販売するにあたり、医薬品の購入希望者の費用的なメリットを提供しながら、支払補助者の過剰な負担の増加を回避することができる医薬品販売システムを提供しうる。
【０２４２】
＜その他の実施例＞
なお、本発明の医薬品販売システムは第１医薬品情報取得処理（図３／ＳＴＥＰ２００）〜医薬品販売所処理（図３／ＳＴＥＰ４００）が行われずに、購入希望者２が医薬品を購入し、かつ購入希望者２が医薬品を購入したことを示す情報が販売者４によりレシートなどの書面にて購入希望者２に発行された場合にも対応しうる。以下、上記の場合の実施例について説明する。
【０２４３】
図１３に示すように、本変更実施例においては、購入希望者２はすでに医薬品を購入済みであるので、医薬品販売システムは購入希望者特定処理（図１３／ＳＴＥＰ１００）の次に、第２医薬品情報受付処理（図１３／ＳＴＥＰ５００）を実行する。
【０２４４】
なお、購入希望者２が医薬品を購入したことを示す情報が販売者４によりレシートなどの書面にて購入希望者２に発行される場合に対応するため、第２医薬品情報受付処理の処理内容が図１４に示すように変更される。
【０２４５】
またこの場合、サーバ１０のサーバ記憶部１２０には、レシートパターンＤＢが記憶されている。レシートパターンＤＢは、例えば購入希望者２が医薬品を購入したことを示す情報として販売者４が発行しているレシートなどの書面に表示されている情報の位置のパターンを示す情報のデータベースであり、例えば図１５Ｃに示すように、レシートパターンを一意に特定するレシートＩＤ、レシートイメージ、第３購入希望者ＩＤ位置、販売者ＩＤ位置、医薬品ＩＤ位置、販売年月日位置、販売数量位置、代金位置の情報を含んでいる。
【０２４６】
レシートイメージは、購入希望者２が医薬品を購入したことを示す情報として販売者４が発行しているレシートなどの書面の画像に関する情報であり、例えば当該書面のサンプルの画像を解析して得られた、画像中の特徴点の位置などを示す情報である。
【０２４７】
第３購入希望者ＩＤ位置、販売者ＩＤ位置、医薬品ＩＤ位置、販売年月日位置、販売数量位置、代金位置は、それぞれ当該画像中の第３購入希望者ＩＤ、販売者ＩＤ、医薬品ＩＤ、販売年月日、販売数量、代金位置が表示されている位置であり、例えば画像の左上の隅からの縦方向の距離及び横方向の距離をそれぞれｃｍで表した値が記憶されている。
【０２４８】
＜第２医薬品情報受付処理の変更例＞
処理を開始すると購入希望者端末医薬品情報取得部２０１は、ディスプレイ２２１に、購入希望者２が医薬品を購入したことを示す情報の入力を受け付ける画面を表示して（図１４／ＳＴＥＰ５００１）、購入希望者端末医薬品情報取得部２０１は、購入希望者２が医薬品を購入したことを示す情報の入力を受け付ける（図１４／ＳＴＥＰ５００２）。
【０２４９】
購入希望者端末医薬品情報取得部２０１は、例えば医薬品の購入希望者２を識別する情報の入力を受け付ける画面として、画像により当該情報の入力を行うか、販売者装置４０から受信した情報により入力を行うかを購入希望者２に選択させる画面を表示する。
【０２５０】
購入希望者２が販売者装置４０から受信した情報により入力を行うことを選択した場合の処理の流れは図８における処理の流れと同一であるため、説明を省略する。
【０２５１】
購入希望者２が画像により当該情報の入力を行うことを選択した場合は、購入希望者端末医薬品情報取得部２０１は、カメラ２３１を起動し、例えば購入希望者２が医薬品を購入したことを示す情報としての販売者４が発行したレシートなどの画像の購入希望者２による撮像操作を受け付ける。
【０２５２】
そして購入希望者端末医薬品情報取得部２０１は、購入希望者２が医薬品を購入したことを示す情報をサーバに送信し（図１４／ＳＴＥＰ５０１）、サーバ１０の医薬品情報受付部１０２は、当該購入希望者２が医薬品を購入したことを示す情報を受信して（図１４／ＳＴＥＰ５１０）、購入希望者が医薬品を購入したことを示す情報は画像かを判定する（図１４／ＳＴＥＰ５１０１）。
【０２５３】
当該判定が肯定的である場合（図１４／ＳＴＥＰ５１０１：Ｙｅｓ）、購入希望者端末医薬品情報取得部２０１は、第２画像解析処理を実行して（図１４／ＳＴＥＰ５１０２）、画像の解析に成功したか否かを判定する（図１４／ＳＴＥＰ５２０１）。
【０２５４】
購入希望者端末医薬品情報取得部２０１は、当該判定を、第２画像解析処理を実行した結果の画像の解析に成功したことを示すフラグがＯＮの状態にあるか否かにより判定する。すなわち、当該フラグがＯＮであれば画像の解析に成功したものと判定し、当該フラグがＯＦＦであれば画像の解析に成功しなかったものと判定する。
【０２５５】
当該判定が肯定的である場合（図１４／ＳＴＥＰ５２０１：Ｙｅｓ）、購入希望者端末医薬品情報取得部２０１は、画像の解析結果から医薬品の販売年月日、当該購入希望者２への販売の対象となった医薬品の医薬品ＩＤ、当該医薬品の販売数量、当該医薬品の代金、販売者４を識別する情報を取得して（図１４／ＳＴＥＰ５２０２）、ＳＴＥＰ５１２以降の処理を実行する。
【０２５６】
一方当該判定が否定的である場合（図１４／ＳＴＥＰ５２０１：Ｎｏ）、購入希望者端末医薬品情報取得部２０１は、画像から情報を取得できない旨を知らせる情報を購入希望者端末２０に送信して（図１４／ＳＴＥＰ５２０３）処理を終了する。
【０２５７】
そして、購入希望者端末医薬品情報取得部２０１は画像から情報を取得できない旨を知らせる情報を受信して例えば当該情報をディスプレイ２２１に表示して（図１４／ＳＴＥＰ５３０１）、ＳＴＥＰ５００１以降の処理を繰り返す。
【０２５８】
＜第２画像解析処理＞
処理を開始すると医薬品情報受付部１０２は、購入希望者２が医薬品を購入したことを示す情報として受信した画像に基づいてレシートパターンＤＢを参照し、画像と一致するレシートイメージを含むレシートパターン情報を検索し（図１５Ａ／ＳＴＥＰ５１０３）、画像と一致するレシートイメージを含むレシートパターン情報を発見することができたか否かを判定する（図１５Ａ／ＳＴＥＰ５１０４）。
【０２５９】
このとき医薬品情報受付部１０２は、例えば受信した画像を解析して得られた、画像中の特徴点の位置などを示す情報と、レシートパターンＤＢに記憶されているレシートパターンとを比較して、特徴点の近似度合いが所定の閾値以上である場合に、画像と一致するレシートイメージを含むレシートパターン情報を発見することができたと判定する。
【０２６０】
当該判定が否定的である場合（図１５Ａ／ＳＴＥＰ５１０４：Ｎｏ）、購入希望者端末医薬品情報取得部２０１は、画像の解析に成功したことを示すフラグをＯＦＦに変更して（図１５Ａ／ＳＴＥＰ５１２３）、処理を終了する。
【０２６１】
一方当該判定が肯定的である場合（図１５Ａ／ＳＴＥＰ５１０４：Ｙｅｓ）、購入希望者端末医薬品情報取得部２０１は、発見されたレシートパターン情報に含まれる第３購入希望者ＩＤ位置、販売者ＩＤ位置、医薬品ＩＤ位置、販売年月日位置、販売数量位置、代金位置を取得する（図１５Ａ／ＳＴＥＰ５１０５）。
【０２６２】
そして、購入希望者端末医薬品情報取得部２０１は、取得された第３購入希望者ＩＤ位置が示す位置に表示されている情報を画像から取得して（図１５Ａ／ＳＴＥＰ５１０６）、画像から取得された情報より文字情報を抽出する（図１５Ａ／ＳＴＥＰ５１０７）。
【０２６３】
続いて購入希望者端末医薬品情報取得部２０１は、購入希望者ＤＢ１２１を参照して、画像から取得された情報より抽出された文字情報と一致する第３購入希望者ＩＤを含む購入希望者情報を検索して（図１５Ａ／ＳＴＥＰ５１０８）、該当する購入希望者情報を発見できたか否かを判定する（図１５Ａ／ＳＴＥＰ５１０９）。
【０２６４】
購入希望者端末医薬品情報取得部２０１は、当該判定が否定的である場合（図１５Ａ／ＳＴＥＰ５１０９：Ｎｏ）、画像の解析に成功したことを示すフラグをＯＦＦに変更して（図１５Ａ／ＳＴＥＰ５１２３）処理を終了し、当該判定が肯定的である場合（図１５Ａ／ＳＴＥＰ５１０９：Ｙｅｓ）、発見された購入希望者情報に含まれる第１購入希望者ＩＤを取得して（図１５Ａ／ＳＴＥＰ５１１０）、取得された第１購入希望者ＩＤと、購入希望者特定処理にて取得された第１購入希望者ＩＤとが一致するか否かを判定する（図１５Ａ／ＳＴＥＰ５１１１）。
【０２６５】
当該判定が否定的である場合（図１５Ａ／ＳＴＥＰ５１１１：Ｎｏ）、購入希望者端末医薬品情報取得部２０１は、画像の解析に成功したことを示すフラグをＯＦＦに変更して（図１５Ａ／ＳＴＥＰ５１２３）、処理を終了する。
【０２６６】
一方当該判定が肯定的である場合（図１５Ａ／ＳＴＥＰ５１１１：Ｙｅｓ）、購入希望者端末医薬品情報取得部２０１は、レシートパターン情報から取得された販売者ＩＤ位置が示す位置に表示されている情報を画像から取得して（図１５Ａ／ＳＴＥＰ５１１２）、画像から取得された情報より文字情報を抽出し（図１５Ａ／ＳＴＥＰ５１１３）、販売者ＤＢを参照して、画像から取得された情報より抽出された文字情報と一致する販売者ＩＤを含む販売者情報を検索し（図１５Ａ／ＳＴＥＰ５１１４）、該当する販売者情報を発見できたか否かを判定する（図１５Ａ／ＳＴＥＰ５１１５）。
【０２６７】
購入希望者端末医薬品情報取得部２０１は、当該判定が否定的である場合（図１５Ａ／ＳＴＥＰ５１１５：Ｎｏ）、画像の解析に成功したことを示すフラグをＯＦＦに変更して（図１５Ａ／ＳＴＥＰ５１２３）、処理を終了し、当該判定が肯定的である場合（図１５Ａ／ＳＴＥＰ５１１５：Ｙｅｓ）、発見された販売者情報に含まれる販売者ＩＤを取得し（図１５Ａ／ＳＴＥＰ５１１６）する。
【０２６８】
続いて、購入希望者端末医薬品情報取得部２０１は、レシートパターン情報から取得された医薬品ＩＤ位置が示す位置に表示されている情報を画像から取得して（図１５Ａ／ＳＴＥＰ５１１７）、画像から取得された情報より文字情報を抽出し（図１５Ａ／ＳＴＥＰ５１１８）、サーバ医薬品ＤＢ１２６を参照して、画像から取得された情報より抽出された文字情報と一致する医薬品ＩＤを含む販売者情報を検索し（図１５Ａ／ＳＴＥＰ５１１９）、該当する医薬品情報を発見できたか否かを判定する（図１５Ｂ／ＳＴＥＰ５１２０）。
【０２６９】
購入希望者端末医薬品情報取得部２０１は、当該判定が否定的である場合（図１５Ｂ／ＳＴＥＰ５１２０：Ｎｏ）、購入希望者端末医薬品情報取得部２０１は、画像の解析に成功したことを示すフラグをＯＦＦに変更して（図１５Ｂ／ＳＴＥＰ５１２３）、処理を終了し、当該判定が肯定的である場合（図１５Ｂ／ＳＴＥＰ５１２０：Ｙｅｓ）、発見された医薬品情報に含まれる医薬品ＩＤを取得する（図１５Ｂ／ＳＴＥＰ５１２１）。
【０２７０】
次に購入希望者端末医薬品情報取得部２０１は、レシートパターン情報から取得された販売年月日位置、販売数量位置、代金位置が示す位置に表示されている情報を画像から取得して（図１５Ｂ／ＳＴＥＰ５１２２）、画像から取得された情報より文字情報を抽出して（図１５Ｂ／ＳＴＥＰ５１２３）、画像から抽出された文字情報は、それぞれ販売年月日、販売数量、代金か否かを判定する（図１５Ｂ／ＳＴＥＰ５１２４）。
【０２７１】
購入希望者端末医薬品情報取得部２０１は、当該判定が否定的である場合（図１５Ｂ／ＳＴＥＰ５１２４：Ｎｏ）、購入希望者端末医薬品情報取得部２０１は、画像の解析に成功したことを示すフラグをＯＦＦに変更して（図１５Ｂ／ＳＴＥＰ５１２５）、処理を終了し、当該判定が肯定的である場合（図１５Ｂ／ＳＴＥＰ５１２４：Ｙｅｓ）、画像の解析に成功したことを示すフラグをＯＮに変更して（図１５Ｂ／ＳＴＥＰ５１２６）処理を終了する。
【０２７２】
以上、本発明の実施形態について説明したが、本発明はこれに限定されない。本発明の趣旨を逸脱しない範囲で、種々の変更が可能である。
【０２７３】
例えば、上記においては、医薬品の購入代金に対する補助の手法としてポイントを付与する場合についてのみ説明したが、例えば医薬品の購入代金を決済する処理（図７／ＳＴＥＰ４３４）において、支払補助者１の補助度合の情報に応じて購入代金を値引きすることとしてもよい。この場合、例えば販売者装置制御部４００は、購入希望者２が医薬品を購入したことを示す情報に、何円の値引きを行ったかを示す情報を含めて購入希望者端末２０に送信し、請求情報作成部１０５は、当該情報に基づいて医薬品の代金の一部または全部を支払補助者に請求するための請求情報を作成する（図１１／ＳＴＥＰ８０３）。
【符号の説明】
【０２７４】
１０…サーバ、２０…購入希望者端末、３０…専門家端末、４０…販売者装置、５０…通信ネットワーク、１００…サーバ制御部、１２０…サーバ記憶部、２００…購入希望者端末制御部、２１０…購入希望者端末記憶部、２３１…カメラ、３００…専門家端末制御部。
【図１Ａ】
2020071595.tif 000003
【図１Ｂ】
2020071595.tif 000004
【図１Ｃ】
2020071595.tif 000005
【図２Ａ】
2020071595.tif 000006
【図２Ｂ】
2020071595.tif 000007
【図２Ｃ】
2020071595.tif 000008
【図２Ｄ】
2020071595.tif 000009
【図２Ｅ】
2020071595.tif 000010
【図２Ｆ】
2020071595.tif 000011
【図２Ｇ】
2020071595.tif 000012
【図２Ｈ】
2020071595.tif 000013
【図２Ｉ】
2020071595.tif 000014
【図２Ｊ】
2020071595.tif 000015
【図２Ｋ】
2020071595.tif 000016
【図３】
2020071595.tif 000017
【図４】
2020071595.tif 000018
【図５】
2020071595.tif 000019
【図６Ａ】
2020071595.tif 000020
【図６Ｂ】
2020071595.tif 000021
【図６Ｃ】
2020071595.tif 000022
【図７】
2020071595.tif 000023
【図８】
2020071595.tif 000024
【図９】
2020071595.tif 000025
【図１０Ａ】
2020071595.tif 000026
【図１０Ｂ】
2020071595.tif 000027
【図１１】
2020071595.tif 000028
【図１２】
2020071595.tif 000029
【図１３】
2020071595.tif 000030
【図１４】
2020071595.tif 000031
【図１５Ａ】
2020071595.tif 000032
【図１５Ｂ】
2020071595.tif 000033
【図１５Ｃ】
2020071595.tif 000034
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
サーバーと購入希望者端末と専門家端末とを有するコンピューターネットワークシステムにおいて、
前記サーバーは、
医薬品の購入希望者を識別する情報を前記購入希望者端末から取得する希望者情報取得部と、
前記購入希望者端末と前記専門家端末との間での通信を制御する通信制御部と、
前記通信の内容に基づいて専門家が選択した医薬品を示す情報を前記専門家端末から受け付ける医薬品情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備え、
前記条件認識部は、前記専門家端末から医薬品を示す情報を受け付けることを前記販売条件として認識するように構成され、
前記請求情報作成部は、前記医薬品情報受付部により医薬品を示す情報が前記専門家端末から受け付けられた場合に、当該専門家端末から受け付けた医薬品を示す情報に示される医薬品の購入金額の一部又は全部を前記支払補助者に請求するための請求情報を作成するように構成されていることを特徴とする医薬品販売システム。
【請求項２】
サーバーと購入希望者端末と専門家端末とを有するコンピューターネットワークシステムにおいて、
前記サーバーは、
医薬品の購入希望者を識別する情報を前記購入希望者端末から取得する希望者情報取得部と、
前記購入希望者端末と前記専門家端末との間での通信を制御する通信制御部と、  
前記通信の内容に基づいて前記購入希望者端末及び前記専門家端末の一方又は両方から前記購入希望者への販売対象の医薬品を示す情報を受け付ける医薬品情報受付部と、
前記購入希望者と専門家との間での問診が終了したことを示す問診終了情報を受信する問診受信部と、
前記購入希望者への販売対象の医薬品に関する前記専門家から前記購入希望者への説明が終了したことを示す説明終了情報を受信する説明受信部と、
前記購入希望者が前記説明の内容を理解したことを示す理解情報を前記購入希望者端末から受信する理解受信部と、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信する購入可能情報送信部と、
前記購入希望者端末から前記購入可能情報を受け付ける購入可能情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備え、
前記条件認識部は、前記購入可能情報受付部が前記購入可能情報を受け付けることを前記販売条件として認識するように構成され、
前記請求情報作成部は、前記購入可能情報受付部により前記購入可能情報が受け付けられた場合に、前記請求情報を作成するように構成されていることを特徴とする医薬品販売システム。
【請求項３】
請求項１又は２に記載の医薬品販売システムにおいて、
前記購入希望者の第１所定期間における医薬品の過去の購入金額を取得する過去購入金額取得部を備え、
前記条件認識部は、前記購入希望者の前記第１所定期間における医薬品の購入金額の上限である購入上限額を前記販売条件として認識するように構成され、
前記請求情報作成部は、前記購入希望者の前記第１所定期間における医薬品の過去の購入金額と当該購入希望者の今回の購入金額との合計が、前記購入上限額以下である場合に、前記請求情報を作成するように構成されていることを特徴とする医薬品販売システム。
【請求項４】
請求項１〜３のいずれかに記載の医薬品販売システムにおいて、
前記購入希望者の第２所定期間における医薬品の過去の購入量を取得する過去購入量取得部を備え、
前記条件認識部は、前記購入希望者の前記第２所定期間における当該購入希望者への販売対象の医薬品の購入量の上限である購入上限量を前記販売条件として認識するように構成され、
前記請求情報作成部は、前記購入希望者の前記第２所定期間における、当該購入希望者への販売対象の医薬品と同一の医薬品の過去の購入量と当該購入希望者の当該医薬品の今回の購入量との合計が、前記購入上限量以下である場合に、前記請求情報を作成するように構成されていることを特徴とする医薬品販売システム。
【請求項５】
請求項１〜４のいずれかに記載の医薬品販売システムにおいて、
前記支払補助者が購入金額の一部又は全部を補助する対象としている１又は複数の医薬品からなる医薬品グループを取得する医薬品グループ取得部を備え、
前記条件認識部は、前記購入希望者への販売対象の医薬品が前記医薬品グループに含まれていることを前記販売条件として認識するように構成され、
前記請求情報作成部は、前記購入希望者への販売対象の医薬品が、前記医薬品グループに含まれている場合に、前記請求情報を作成するように構成されていることを特徴とする医薬品販売システム。
【請求項６】
請求項１〜５のいずれかに記載の医薬品販売システムにおいて、
前記希望者情報取得部は、前記購入希望者を識別する情報の画像を取得するように構成され、
前記補助者特定部は、前記画像から前記購入希望者を識別する情報に応じた支払補助者を特定するように構成されていることを特徴とする医薬品販売システム。
【請求項７】
請求項６に記載の医薬品販売システムにおいて、
前記補助者特定部は、前記画像中に前記支払補助者を特定する情報が含まれている場合には、当該画像に基づいて、当該画像中のどの部分に前記支払補助者を特定する情報が表示されているかを認識し、当該認識された当該画像中の部分に表示されている情報から、前記購入希望者を識別する情報に応じた支払補助者を特定するように構成されていることを特徴とする医薬品販売システム。
【請求項８】
サーバーと購入希望者端末と専門家端末とを有するコンピューターネットワークシステムに、
医薬品の購入希望者を識別する情報を前記購入希望者端末から取得するステップと、
前記購入希望者端末と前記専門家端末との間での通信を制御するステップと、
前記通信の内容に基づいて専門家が選択した医薬品を示す情報を前記専門家端末から受け付けるステップと、
前記購入希望者を識別する情報に応じて、医薬品の購入金額の一部又は全部を補助する支払補助者を特定するステップと、
前記専門家端末から医薬品を示す情報を受け付けることを前記支払補助者に応じた医薬品の販売条件として認識するステップと、
前記購入希望者への販売対象の医薬品を示す情報が前記専門家端末から受け付けられた場合に、当該専門家端末から受け付けた医薬品を示す情報に示される医薬品の購入金額の一部又は全部を前記支払補助者に請求するための請求情報を作成するステップとを実行させることを特徴とする医薬品販売プログラム。
【請求項９】
サーバーと購入希望者端末と専門家端末とを有するコンピューターネットワークシステムが実行する方法であって、
医薬品の購入希望者を識別する情報を前記購入希望者端末から取得する工程と、
前記購入希望者端末と前記専門家端末との間での通信を制御する工程と、
前記通信の内容に基づいて専門家が選択した医薬品を示す情報を前記専門家端末から受け付ける工程と、
前記購入希望者を識別する情報に応じて、医薬品の購入金額の一部又は全部を補助する支払補助者を特定する工程と、
前記専門家端末から医薬品を示す情報を受け付けることを前記支払補助者に応じた医薬品の販売条件として認識する工程と、
前記購入希望者への販売対象の医薬品を示す情報が前記専門家端末から受け付けられた場合に、当該専門家端末から受け付けた医薬品を示す情報に示される医薬品の購入金額の一部又は全部を前記支払補助者に請求するための請求情報を作成する工程とを含むことを特徴とする医薬品販売方法。
【請求項１０】
サーバーと購入希望者端末と専門家端末とを有するコンピューターネットワークシステムに、
医薬品の購入希望者を識別する情報を前記購入希望者端末から取得するステップと、
前記購入希望者端末と前記専門家端末との間での通信を制御するステップと、  
前記通信の内容に基づいて前記購入希望者端末及び前記専門家端末の一方又は両方から前記購入希望者への販売対象の医薬品を示す情報を受け付けるステップと、
前記購入希望者と専門家との間での問診が終了したことを示す問診終了情報を受信するステップと、
前記購入希望者への販売対象の医薬品に関する前記専門家から前記購入希望者への説明が終了したことを示す説明終了情報を受信するステップと、
前記購入希望者が前記説明の内容を理解したことを示す理解情報を前記購入希望者端末から受信するステップと、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信するステップと、
前記購入希望者端末から前記購入可能情報を受け付けるステップと、
前記購入希望者を識別する情報に応じて、医薬品の購入金額の一部又は全部を補助する支払補助者を特定するステップと、
前記サーバーが前記購入可能情報を受け付けることを前記支払補助者に応じた医薬品の販売条件として認識するステップと、
前記購入希望者への販売対象の医薬品の前記購入可能情報が受け付けられた場合に、当該医薬品の購入金額の一部又は全部を前記支払補助者に請求するための請求情報を作成するステップとを実行させることを特徴とする医薬品販売プログラム。
【請求項１１】
サーバーと購入希望者端末と専門家端末とを有するコンピューターネットワークシステムが実行する方法であって、
医薬品の購入希望者を識別する情報を前記購入希望者端末から取得する工程と、
前記購入希望者端末と前記専門家端末との間での通信を制御する工程と、  
前記通信の内容に基づいて前記購入希望者端末及び前記専門家端末の一方又は両方から前記購入希望者への販売対象の医薬品を示す情報を受け付ける工程と、
前記購入希望者と専門家との間での問診が終了したことを示す問診終了情報を受信する工程と、
前記購入希望者への販売対象の医薬品に関する前記専門家から前記購入希望者への説明が終了したことを示す説明終了情報を受信する工程と、
前記購入希望者が前記説明の内容を理解したことを示す理解情報を前記購入希望者端末から受信する工程と、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信する工程と、
前記購入希望者端末から前記購入可能情報を受け付ける工程と、
前記購入希望者を識別する情報に応じて、医薬品の購入金額の一部又は全部を補助する支払補助者を特定する工程と、
前記サーバーが前記購入可能情報を受け付けることを前記支払補助者に応じた医薬品の販売条件として認識する工程と、
前記購入希望者への販売対象の医薬品の前記購入可能情報が受け付けられた場合に、当該医薬品の購入金額の一部又は全部を前記支払補助者に請求するための請求情報を作成する工程とを含むことを特徴とする医薬品販売方法。
【手続補正２】
【補正対象書類名】明細書
【補正対象項目名】００１１
【補正方法】変更
【補正の内容】
【００１１】
本発明の医薬品販売システムは、
サーバーと購入希望者端末と専門家端末とを有するコンピューターネットワークシステムにおいて、
前記サーバーは、
医薬品の購入希望者を識別する情報を前記購入希望者端末から取得する希望者情報取得部と、
前記購入希望者端末と前記専門家端末との間での通信を制御する通信制御部と、
前記通信の内容に基づいて専門家が選択した医薬品を示す情報を前記専門家端末から受け付ける医薬品情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備え、
前記条件認識部は、前記専門家端末から医薬品を示す情報を受け付けることを前記販売条件として認識するように構成され、
前記請求情報作成部は、前記医薬品情報受付部により医薬品を示す情報が前記専門家端末から受け付けられた場合に、当該専門家端末から受け付けた医薬品を示す情報に示される医薬品の購入金額の一部又は全部を前記支払補助者に請求するための請求情報を作成するように構成されていることを特徴とする。
【手続補正３】
【補正対象書類名】明細書
【補正対象項目名】００１５
【補正方法】変更
【補正の内容】
【００１５】
このように、本発明の医薬品販売システムによれば、非処方薬を販売するにあたり、医薬品の購入希望者の経済的なメリットを提供しながら、支払補助者の過剰な負担の増加を回避することができる。
また、購入希望者は、必ずしも医薬品に関する知識が豊富ではないため、自分の病状にあった医薬品がどれであるかを判断できず、医薬品販売システムの利用を躊躇して、病院で診療を受けて当該医薬品の処方を受けて購入する方法を選択してしまうことが考えられる。
本発明の医薬品販売システムは、通信制御部により購入希望者端末と専門家端末との間での通信が制御され、医薬品情報受付部により当該通信の内容に基づいて専門家が選択した医薬品を示す情報が専門家端末から受け付けられる。
そして、条件認識部により専門家端末から医薬品を示す情報を受け付けることが販売条件として認識され、当該医薬品を示す情報が専門家端末から受け付けられた場合に、当該専門家端末から受け付けた医薬品を示す情報に示される医薬品の購入金額の一部又は全部を支払補助者に請求するための請求情報が請求情報作成部により作成される。
これにより、購入希望者端末と専門家端末との間での通信が行われた後に、専門家端末から医薬品を示す情報が受け付けられるため、医薬品に関する知識が豊富でなくとも自分に合った医薬品を購入できるという安心感を購入希望者に持たせることができる。
このように、本発明の医薬品販売システムによれば、非処方薬を購入する上での安心感を購入希望者に持たせつつ、支払補助者の過剰な負担の増加を回避することができる。
本発明の医薬品販売システムは、
サーバーと購入希望者端末と専門家端末とを有するコンピューターネットワークシステムにおいて、
前記サーバーは、
医薬品の購入希望者を識別する情報を前記購入希望者端末から取得する希望者情報取得部と、
前記購入希望者端末と前記専門家端末との間での通信を制御する通信制御部と、  
前記通信の内容に基づいて前記購入希望者端末及び前記専門家端末の一方又は両方から前記購入希望者への販売対象の医薬品を示す情報を受け付ける医薬品情報受付部と、
前記購入希望者と専門家との間での問診が終了したことを示す問診終了情報を受信する問診受信部と、
前記購入希望者への販売対象の医薬品に関する前記専門家から前記購入希望者への説明が終了したことを示す説明終了情報を受信する説明受信部と、
前記購入希望者が前記説明の内容を理解したことを示す理解情報を前記購入希望者端末から受信する理解受信部と、
前記購入希望者への販売対象の医薬品が所定種別の医薬品である場合に、前記問診終了情報、前記説明終了情報及び前記理解情報が受信されたことを条件として、当該医薬品を前記購入希望者が購入できることを示す購入可能情報を前記購入希望者端末に送信する購入可能情報送信部と、
前記購入希望者端末から前記購入可能情報を受け付ける購入可能情報受付部と、
前記購入希望者を識別する情報に応じて、医薬品の購入金額の一部又は全部を補助する支払補助者を特定する補助者特定部と、
前記支払補助者に応じた医薬品の販売条件を認識する条件認識部と、
前記購入希望者への販売対象の医薬品が前記支払補助者の前記販売条件を満たす場合に、当該医薬品の購入金額の一部又は全部を前記支払補助者に請求するための請求情報を作成する請求情報作成部とを備え、
前記条件認識部は、前記購入可能情報受付部が前記購入可能情報を受け付けることを前記販売条件として認識するように構成され、
前記請求情報作成部は、前記購入可能情報受付部により前記購入可能情報が受け付けられた場合に、前記請求情報を作成するように構成されていることを特徴とする。
医薬品によっては、薬剤師などの専門家による問診と医薬品に関する説明が終了していること、購入希望者が当該説明の内容を理解していることが販売の条件となる場合がある。そのような医薬品を購入するために購入希望者が薬局を訪れた際に、例えば薬剤師が不在であったり、他の購入希望者の対応中であったりした場合に、薬剤師が対応可能となるまで待たなければならない不便を購入希望者に生じさせる。
本発明の医薬品販売システムは、購入希望者と専門家との間での問診が終了したことを示す情報、医薬品に関する専門家から購入希望者への説明が終了したことを示す情報及び、購入希望者が当該説明の内容を理解したことを示す情報が受信されたことを条件として、購入希望者への販売対象の医薬品を購入希望者が購入できることを示す購入可能情報を購入希望者端末に送信する。
これにより、専門家による問診と医薬品に関する説明が終了していること、購入希望者が当該説明の内容を理解していることが販売の条件となる医薬品を購入するために購入希望者が薬局を訪れた際に、改めて薬剤師などの専門家による問診等を受けることなく当該医薬品を受け取ることが可能となるので、購入希望者の利便性が向上する。
このように、本発明の医薬品販売システムによれば、非処方薬を販売するにあたり、購入希望者の利便性を向上させつつ、支払補助者の過剰な負担の増加を回避することができる。
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】